(57)【特許請求の範囲】
【請求項１】
遊技盤の後側に取り付けられる設置部材に配設されて可動演出を行う可動演出装置を備えた遊技機において、
前記可動演出装置は、
作動手段の作動に伴って待機位置および該待機位置から上方へ離れた動作位置の間を昇降移動可能な移動体と、
前記移動体の前側に横並びに配設され、上下方向が長手となる第１初期姿勢および上方に向かって互いに離間するよう傾斜した第１動作姿勢の間を姿勢変位可能な一対の第１可動体と、
前記第１可動体の夫々の上方において横方向に離間して配設され、該第１可動体から離間した第２初期姿勢、および第１動作姿勢となった第１可動体の上部に対して該第１可動体の長手方向に連なる第２動作姿勢の間を姿勢変位可能な一対の第２可動体と、
前記移動体および第１可動体を連係し、移動体が待機位置および動作位置の間を昇降移動することに伴って、該第１可動体を、第１初期姿勢および第１動作姿勢の間で姿勢変位させる第１連係手段と、
前記第１可動体および第２可動体を連係し、第１可動体の第１初期姿勢および第１動作姿勢の間の姿勢変位に伴って、該第２可動体を、第２初期姿勢および第２動作姿勢の間で姿勢変位させる第２連係手段と、
前記第２連係手段に連結され、該第２連係手段を介して前記第１可動体を第１動作姿勢に向け付勢すると共に前記第２可動体を第２動作姿勢に向け付勢する付勢手段とを備え、
前記作動手段の作動下に前記移動体が前記待機位置から動作位置へ移動する際に、第１動作姿勢への前記第１可動体の姿勢変位および第２動作姿勢への前記第２可動体の姿勢変位を前記付勢手段で補助するよう構成されると共に、
互いに連なった一方の第１可動体および第２可動体と、互いに連なった他方の第１可動体および第２可動体とが、上方に向かうにつれて互いに離間するよう傾斜して単一の意匠を形成するよう構成され、
前記一対の第１可動体の少なくとも一部と前後に重なるように該第１可動体の前側に配設され、前記第１可動体と関連する意匠が形成された装飾体を備え、
前記装飾体は、前記遊技盤に配設された入賞装置の球通出部に入口部が整合すると共に前記設置部材に設けられた球排出部に出口部が整合する球案内路を備えると共に、前記球案内路を通過する遊技球を検出可能な球検出手段が配設され、
前記入賞装置の球通出部から通出された遊技球を、前記球案内路を介して前記球排出部へ案内すると共に、該球案内路を通過する当該遊技球を前記球検出手段で検出するよう構成した
ことを特徴とする遊技機。
【発明の詳細な説明】
【技術分野】
【０００１】
本発明は、可動演出を行う可動演出装置を備えた遊技機に関するものである。
【背景技術】
【０００２】
代表的な遊技機であるパチンコ機は、機内にセットされる遊技盤の盤面に画成した遊技領域の略中央位置に枠状の装飾部材が配設されて、遊技盤の裏側に配設された図柄表示装置の表示部を装飾部材の窓口の後側に臨ませ、遊技盤の遊技領域に配設された始動入賞装置に遊技球が入賞することを契機として、図柄表示装置の表示部において図柄組み合わせに係る演出を行うよう構成されている。また、パチンコ機では、所要の動作を行う可動体を備えた可動演出装置を遊技盤の前側から視認可能に配設し、図柄表示装置の表示部で行われる遊技演出に合わせて該可動体を動作させることにより、視覚的な演出効果を向上させて遊技の興趣を高めている。このような可動演出装置を備えた遊技機は、特許文献１に開示されている。
【先行技術文献】
【特許文献】
【０００３】
【特許文献１】特開２０１２−１８７１５６号公報
【発明の概要】
【発明が解決しようとする課題】
【０００４】
パチンコ機は、遊技盤の遊技領域に配設された各種入賞装置に入賞した遊技球を排出する球排出路が、該遊技盤の後側に設けられており、可動演出装置は、該球排出路と干渉しないようにレイアウトする必要がある。このため、従来のパチンコ機は、可動演出装置と球排出路との干渉を回避するために、該可動演出装置の形状および構成が制約されると共に、該可動演出装置の設置位置も制約される難点がある。
【０００５】
本発明は、従来技術に係る遊技機に内在する前記問題に鑑み、これらを好適に解決するべく提案されたものであって、遊技盤に設けられる入賞装置に連通する球案内路を可動演出装置に設けることで、該可動演出装置の形状、構成および設置位置の自由度を高め得るようにした遊技機を提供することを目的とする。
【課題を解決するための手段】
【０００６】
前記課題を解決し、所期の目的を達成するため、本発明の請求項１に係る発明は、
遊技盤(20)の後側に取り付けられる設置部材(40)に配設されて可動演出を行う可動演出装置(50)を備えた遊技機において、
前記可動演出装置(50)は、
作動手段(75)の作動に伴って待機位置および該待機位置から上方へ離れた動作位置の間を昇降移動可能な移動体(52)と、
前記移動体(52)の前側に横並びに配設され、上下方向が長手となる第１初期姿勢および上方に向かって互いに離間するよう傾斜した第１動作姿勢の間を姿勢変位可能な一対の第１可動体(53,53)と、
前記第１可動体(53,53)の夫々の上方において横方向に離間して配設され、該第１可動体(53,53)から離間した第２初期姿勢、および第１動作姿勢となった第１可動体(53,53)の上部に対して該第１可動体(53,53)の長手方向に連なる第２動作姿勢の間を姿勢変位可能な一対の第２可動体(54,54)と、
前記移動体(52)および第１可動体(53,53)を連係し、移動体(52)が待機位置および動作位置の間を昇降移動することに伴って、該第１可動体(53,53)を、第１初期姿勢および第１動作姿勢の間で姿勢変位させる第１連係手段(100,127)と、
前記第１可動体(53)および第２可動体(54)を連係し、第１可動体(53)の第１初期姿勢および第１動作姿勢の間の姿勢変位に伴って、該第２可動体(54)を、第２初期姿勢および第２動作姿勢の間で姿勢変位させる第２連係手段(129,147)と、
前記第２連係手段(129,147)に連結され、該第２連係手段(129,147)を介して前記第１可動体(53)を第１動作姿勢に向け付勢すると共に前記第２可動体(54)を第２動作姿勢に向け付勢する付勢手段(57)とを備え、
前記作動手段(75)の作動下に前記移動体(52)が前記待機位置から動作位置へ移動する際に、第１動作姿勢への前記第１可動体(53)の姿勢変位および第２動作姿勢への前記第２可動体(54)の姿勢変位を前記付勢手段(57)で補助するよう構成されると共に、
互いに連なった一方の第１可動体(53)および第２可動体(54)と、互いに連なった他方の第１可動体(53)および第２可動体(54)とが、上方に向かうにつれて互いに離間するよう傾斜して単一の意匠を形成するよう構成され、
前記一対の第１可動体(53,53)の少なくとも一部と前後に重なるように該第１可動体(53,53)の前側に配設され、前記第１可動体(53,53)と関連する意匠が形成された装飾体(175)を備え、
前記装飾体(175)は、前記遊技盤(20)に配設された入賞装置(30)の球通出部(30b,30c)に入口部が整合すると共に前記設置部材(40)に設けられた球排出部(44)に出口部が整合する球案内路(195,196)を備えると共に、前記球案内路(195,196)を通過する遊技球を検出可能な球検出手段(S1,S2)が配設され、
前記入賞装置(30)の球通出部(30b,30c)から通出された遊技球を、前記球案内路(195,196)を介して前記球排出部(44)へ案内すると共に、該球案内路(195,196)を通過する当該遊技球を前記球検出手段(S1,S2)で検出するよう構成したことを要旨とする。
請求項１に係る発明によれば、複数の可動体を備えた可動演出装置を構成する装飾体に、遊技盤に配設された入賞装置から通出された遊技球を案内する球案内路を設けたので、該入賞装置の後側に臨ませた状態で可動演出装置を設置することが可能となり、該可動演出装置の形状および構成、また設置位置の自由度が高められる。そして、装飾体には、球案内路を通過する遊技球を検出可能な球検出手段が配設されているので、入賞装置に入賞した遊技球を適切に検出することができる。
また、第１可動体および第２可動体を連係する第２連係手段を介して第１可動体および第２可動体を、対応する第１動作姿勢および第２動作姿勢に向け付勢手段で付勢するよう構成したので、作動手段による移動体の上昇移動に伴って第１可動体を第１動作姿勢へ姿勢変位させる構成であっても、該第１可動体の第１動作姿勢への姿勢変位および第２可動体の第２動作姿勢への姿勢変位を適切に同期させることができる。また、各第１可動体が第１動作姿勢となると共に各第２可動体が第２動作姿勢となった際に、互いに連なった一方の第１可動体および第２可動体と、互いに連なった他方の第１可動体および第２可動体とが、上方に向かうにつれて互いに離間するよう傾斜するようになり、前方から見てＶ字形をなす一体的な意匠を形成することができ、演出の興趣を向上し得る。
【０００７】
本願には、次のような技術的思想が含まれている。
前記球案内路(195,196)は、入口部から出口部に向けて湾曲していることを要旨とする。
この構成によれば、球案内路が入口部から出口部に向けて湾曲しているので、該球案内路を通過する遊技球の速度および勢いを低減することができ、球検出手段による該遊技球の検出が適切になされるようにし得る。
【０００８】
本願には、次のような技術的思想が含まれている。
前記可動体(53)が姿勢変位可能に配設されると共に、前記設置部材(40)に取り付けられるベース体(51)を備え、
前記装飾体(175)は、前記ベース体(51)に対して遊技球の直径以上の間隔をおいて配設され、該装飾体(175)と該ベース体(51)との間に、遊技球の排出が可能な排出領域(74)が画成されたことを要旨とする。
この構成によれば、ベース体と装飾体との間に遊技領域から入った遊技球を、排出領域を介して可動演出装置から排出させ得るので、ベース体と装飾体との間に遊技球が留まることを防止し得ると共に、ベース体と装飾体との間に留まった遊技球が可動体の動作に支障を来たすことを防止し得る。
【０００９】
本願には、次のような技術的思想が含まれている。
前記装飾体(175)における前記球案内路(195,196)を画成する壁部(181,182)および前記球検出手段(S1,S2)の配設スペースを画成する壁部(183,184)の夫々は、上面が凸状に湾曲していることを要旨とする。
この構成によれば、球案内路を画成する壁部の上面および球検出手段の配設スペースを画成する壁部の上面に、遊技球が留まることを防止し得る。
【発明の効果】
【００１０】
本発明に係る遊技機によれば、遊技盤に設けられる入賞装置に連通する球案内路を可動演出装置に設けたことで、該可動演出装置の形状、構成および設置位置の自由度を高めることができる。
【図面の簡単な説明】
【００１１】
【図１】実施例のパチンコ機の正面図である。
【図２】可動演出装置を初期状態とした遊技盤の正面図である。
【図３】可動演出装置を配設した設置部材と遊技盤と第１始動入賞装置とを分離すると共に、第１始動入賞装置の裏側を同時に示した斜視図である。
【図４】(ａ)は、移動体が上昇途中にあり、第１可動体が第１初期姿勢にあると共に第２可動体が第２初期姿勢にある場合を示した設置部材の部分正面図であり、(ｂ)は、移動体が動作位置にあり、第１可動体が第１動作姿勢にあると共に第２可動体が第２動作姿勢にある場合を示した設置部材の部分正面図である。
【図５】装飾ユニットを分離した可動演出装置を前方右斜め上方から見た斜視図である。
【図６】可動演出装置を後方左斜め上方から見た斜視図である。
【図７】初期状態の可動演出装置を図６のＸ１−Ｘ１線で破断した断面図である。
【図８】動作状態の可動演出装置を図４(ｂ)のＸ２−Ｘ２線で破断した断面図である。
【図９】図８のＸ３−Ｘ３線断面図である。
【図１０】第２連係手段における第１ギア部に設けられたギア掛止部が、第１可動体の姿勢変位に伴って移動する態様を示した説明図である。
【図１１】移動体が待機位置にあり、各第１可動体が第１初期姿勢にあると共に、各第２可動体が第２初期姿勢にある状態を、装置本体を省略した状態で見た背面図である。
【図１２】移動体が待機位置と動作位置との間まで上昇し、各第１可動体が第１初期姿勢にあると共に、各第２可動体が第２初期姿勢にある状態を、装置本体を省略した状態で見た背面図である。
【図１３】移動体が動作位置にあり、各第１可動体が第１動作姿勢にあると共に、各第２可動体が第２動作姿勢にある状態を、装置本体を省略した状態で見た背面図である。
【図１４】装置本体、作動機構、移動体および回転演出ユニットを、前方右斜め上方から見た分解斜視図である。
【図１５】装置本体、第１可動体、第２可動体、第１中継基板ケースおよび第２中継基板ケースを、前方右斜め上方から見た分解斜視図である。
【図１６】第１ベース部材および第２ベース部材を分解した装置本体と、移動体、第１可動体の第１可動ベースおよびコイルバネを、後方左斜め上方から見た分解斜視図である。
【図１７】(ａ)は、左の第１可動体を前方右斜め上方から見た分解斜視図であり、(ｂ)は、左の第１可動体を後方左斜め上方から見た分解斜視図である。
【図１８】(ａ)は、左の第２可動体を前方右斜め上方から見た分解斜視図であり、(ｂ)は、左の第２可動体を後方左斜め上方から見た分解斜視図である。
【図１９】(ａ)は、第１中継基板ケースおよび第１中継基板を前方右斜め上方から見た分解斜視図であり、(ｂ)は、左の第２可動体を後方左斜め上方から見た分解斜視図である。
【図２０】(ａ)は、装飾ユニットを前方右斜め上方から見た分解斜視図であり、(ｂ)は、装飾ユニットを後方左斜め上方から見た分解斜視図である。
【図２１】第１可動照明基板に接続された第１配線の配設態様を示す説明斜視図である。
【発明を実施するための形態】
【００１２】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１３】
(パチンコ機１０について)
図１に示すように、実施例に係るパチンコ機１０は、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が、開閉および着脱可能に組み付けられている。そして、図２に示すように、遊技盤２０の裏側に、所定条件の成立(後述する第１始動入賞装置３０の始動入賞口または第２始動入賞装置の始動入賞口へのパチンコ球(遊技球)の入賞)を契機として演出用の図柄(以下飾図という)を変動表示させて図柄変動演出を行う演出実行手段としての図柄表示装置４５が、着脱可能に配設されている。また、中枠１２の前面側には、遊技盤２０を透視保護するガラス板や透明な合成樹脂材により形成された透視保護板１９(図１参照)で前後に開口する窓口１３ａを覆うよう構成された装飾枠としての前枠１３が開閉可能に組み付けられると共に、該前枠１３の下部前側に、パチンコ球を貯留する上球皿１４および下球皿１５が組み付けられており、前枠１３の開閉に合わせて上球皿１４および下球皿１５も一体的に開閉するよう構成される。
【００１４】
また、図１に示すように、前枠１３の右下方位置には、中枠１２に配設された球発射装置(図示せず)および該前枠１３の裏側に配設された球送り装置(図示せず)を作動する操作操作ハンドル１６が設けられており、該操作操作ハンドル１６の操作レバーの回転操作により、球送り装置および球発射装置が連動して作動することで、上球皿１４に貯留されたパチンコ球が所定間隔で１球ずつ遊技盤２０に向けて連続的に発射されるようになっている。
【００１５】
(遊技盤２０)
遊技盤２０は、透明な合成樹脂材により形成された略矩形状の板部材であって、図２に示すように、中枠１２に設けた遊技盤保持部(図示せず)の内縁形状に整合する外縁形成された略矩形の平板状に形成され、その前側には遊技領域２１が設けられると共に、その後側には設置部材(遊技機構成部材)４０(図３参照)が配設されている。遊技盤２０の前側には、左下部から右上部にかけて円弧状に延在する外レール２２と、この外レール２２の内側に右下部から左上部にかけて並べて配置された内レール２３と、外レール２２の右上部から内レール２３の右下部までの間の右方へ凹む湾曲形状に構成された盤面飾り部材２４等が配設されており、両レール２２,２３および盤面飾り部材２４で囲まれた内側が遊技領域２１として構成されている。また、遊技領域２１の最下方に、遊技領域２１を流下したパチンコ球を遊技盤２０の裏側へ排出するアウト口２５が形成されている。これにより、前枠１３の上球皿１４から中枠１２に配設された球発射装置へ案内されて、該球発射装置から発射されたパチンコ球は、外レール２２と内レール２３との間を通って遊技領域２１の左上部に打ち出された後に該遊技領域２１内を流下し、該パチンコ球の一部が後述する始動入賞装置(入賞装置)３０、特別入賞装置３２または普通入賞部材３３の入賞口等に入賞し、これらに入賞しないパチンコ球は、アウト口２５から遊技盤２０の裏側へ排出されるようになっている。
【００１６】
遊技盤２０には、前後に貫通する複数の装着口が開設されており、該装着口には、各種の遊技盤設置部品(具体的には枠状装飾体２６、第１始動入賞装置３０、特別入賞装置３２、ゲート部３４、普通入賞部材３３等が各装着口に対し前側から取り付けられる。すなわち、遊技盤２０の略中央において前後に開口する大きな装着口には、図２に示すように、前後に開口した演出窓口２６ａが形成されたセンター役とも称される枠状装飾体２６が配設されており、該演出窓口２６ａ内が演出領域とされている。枠状装飾体２６は、複数の装飾部材を環状に連結してユニット化されており、設置部材４０の後側に着脱可能に配設された図柄表示装置４５の表示部４５ａで演出表示される遊技内容に合わせた所定の装飾等が施されている。そして、枠状装飾体２６の演出窓口２６ａには、設置部材４０に配設された図柄表示装置４５の表示部４５ａや、該設置部材４０の前側に配設される後述の可動演出装置５０や、その他の演出装置および装飾部品等が臨むようになっている。
【００１７】
図２示すように、枠状装飾体２６の演出窓口２６ａに臨む下側部分に、パチンコ球が転動可能なステージ部２７が左右に延在して設けられていると共に、該ステージ部２７の後側に、透明な部材から形成された透明保護部材２８が配設されている。この透明保護部材２８は、枠状装飾体２６の左部に形成された球通入口２９からステージ部２７へ導入されて該ステージ部２７を左右に転動するパチンコ球が、該ステージ部２７の後方へ落下するのを防止する。なお、透明保護部材２８は、図柄表示装置４５の表示部４５ａの下部と前後に重なっているが、透明な部材であるから該表示部４５ａの透視を阻害するものではない。
【００１８】
遊技盤２０の遊技領域２１内における下方に形成された装着口には、図２に示すように、遊技領域２１における枠状装飾体２６の左右中央下部に第１始動入賞装置３０が配設されている。遊技領域２１において、枠状装飾体２６の右側には、装飾部材３７に隠れて第２始動入賞装置(図示せず)が配設されている。また、遊技盤２０の遊技領域２１内において、第１始動入賞装置３０が配設される装着口の右斜め上方に形成された装着口には、特別入賞装置３２が配設されている。更に、遊技盤２０の遊技領域２１内において、第１始動入賞装置３０が配設される装着口の左側に形成された装着口には、普通入賞部材３３が配設されている。そして、遊技盤２０の遊技領域２１内には、多数の遊技釘３５が打設されると共に、回転案内部材３６およびゲート部３４等が配設されている。なお、装着口の形成数は、遊技盤２０に取り付けられる各種遊技盤設置部品の個数や配設位置等により必要に応じて適宜変更される。
【００１９】
(始動入賞装置３０)
第１始動入賞装置３０は、始動入賞口が遊技領域２１内で常に上方へ開口する常時開放タイプの入賞口とされ、遊技領域２１を流下するパチンコ球が常時一定の確率で入賞可能に構成されている。そして、第１始動入賞装置３０は、図３に示すように、始動入賞口３０ａに入賞したパチンコ球を振り分ける振分け手段３１が内部に配設されると共に、第１球通出路(球通出部)３０ｂおよび第２球通出路(球通出部)３０ｃが形成されており、始動入賞口３０ａに入賞したパチンコ球は、振分け手段３１により第１球通出路３０ｂおよび第２球通出路３０ｃへ交互に振り分けられるようになっている。そして、第１球通出路３０ｂおよび第２球通出路３０ｃの球出口は、後述する可動演出装置５０に設けられた第１球案内路(球案内路)１９５および第２球案内路(球案内路)１９６(図３、図４参照)の球入口に夫々整合している。一方、図示しない第２始動入賞装置は、該遊技領域２１に開口する始動入賞口を開閉自在に閉成する開閉部材を備えており、駆動手段の駆動に伴って開閉部材が閉鎖する閉鎖位置と開放する開放位置とに変位して、該開閉部材が開放位置に変位した際に始動入賞口が開口するよう構成されている。
【００２０】
すなわち、第１始動入賞装置３０は、遊技領域２１を流下するパチンコ球が常時一定の確率で入賞可能に構成され、第２始動入賞装置は、遊技領域２１に配設されたゲート部３４をパチンコ球が通過したことを条件として実施される普図当り判定(普図当り抽選)の結果に応じて開閉部材が開閉することで、パチンコ球の入賞確率を可変し得るよう構成されている。そして、第１始動入賞装置３０および第２始動入賞装置は、始動入賞口に入賞したパチンコ球を検出する始動入賞センサが配設されており、該始動入賞センサによる球検出信号が、中枠１２の裏側に配設された主制御装置(図示せず)入力される。そして、各始動入賞センサによるパチンコ球の検出(すなわち第１始動入賞装置３０または第２始動入賞装置へのパチンコ球の入賞)を契機として、所定数のパチンコ球が賞球として払い出されるようになっている。また、始動入賞センサによるパチンコ球の検出を契機として、図柄表示装置４５の表示部４５ａにおいて図柄変動演出が行われる。なお、第１始動入賞装置３０に入賞したパチンコ球を検出する始動入賞センサは、後述するように可動演出装置５０に配設されている。
【００２１】
(特別入賞装置３２)
第１始動入賞装置３０の右斜め上方に配設された特別入賞装置３２は、横長に開口する特別入賞口を開閉する開閉部材３２ａを備えており、駆動手段の駆動に伴って板状の開閉部材３２ａが前後方向へ回動することで特別入賞口を開閉するようになっている。また、特別入賞装置３２には、特別入賞口に入賞したパチンコ球を検出する特別入賞検出手段としての特別入賞センサ(図示せず)が設けられて、該特別入賞センサはメイン制御基板に配線接続されており、該特別入賞センサからメイン制御基板への入賞検出信号の入力に伴って所定数(実施例では１５個)の賞球が払い出されるようになっている。ここで、特別入賞装置３２の駆動手段は、第１始動入賞装置３０または第２始動入賞装置へのパチンコ球の入賞を契機として各特別入賞装置３２の特別入賞口を開放する当り遊技(大当り遊技)が付与される場合に、当りの種類に応じた所定の開閉条件に従ってメイン制御基板によって駆動制御され、開閉部材３２ａが回動することで特別入賞口に対して多数のパチンコ球が入賞可能となる。
【００２２】
(設置部材４０)
設置部材４０は、図３に示す如く、遊技盤２０の外郭形状より僅かに小さい形状に形成された略矩形状の設置壁部４１と、該設置壁部４１の外周縁部から前方に突出する外周壁部４２とを備えて、設置壁部４１から前方に開口した箱状に形成されている。そして、設置部材４０は、外周壁部４２の開口前端部を遊技盤２０の後面に当接させた状態で、当該遊技盤２０に設置部材４０がネジ止め固定される。設置部材４０における設置壁部４１の前側には、遊技盤２０の後面との間に空間が画成され、該空間には、実施例の可動演出装置５０や、その他の演出装置および装飾部材等(図示せず)が配設される。設置壁部４１は、その後面に図柄表示装置４５が着脱自在に取り付けられると共に、枠状装飾体２６の演出窓口２６ａと前後に整列する位置に、略矩形状の表示開口４３が前後に開口するよう開設される。表示開口４３には、設置壁部４１の後面に取り付けた図柄表示装置４５の表示部４５ａが後方から臨むようになり、表示開口４３および演出窓口２６ａを介して図柄表示装置４５の表示部４５ａが遊技盤２０の前側に臨むようになっている。設置壁部４１は、中央に開口する表示開口４３の左方に位置する左板部、表示開口４３の右方に位置する右板部、表示開口４３の上方に位置する上板部および下方に位置する下板部４１ａから構成されている。設置壁部４１における下板部４１ａの前側に、実施例の可動演出装置５０が取り付けられている。そして、設置壁部４１の下板部４１ａに取り付けられた可動演出装置５０は、図２に示すように、遊技領域２１および枠状装飾体２６の演出窓口２６ａから視認可能となっている。
【００２３】
(図柄表示装置４５)
図柄表示装置４５は、各種図柄を表示可能な表示部４５ａをなす液晶パネルが収容ケースに収容されたユニット部材であって、該収容ケースの後面には、該図柄表示装置４５の表示部４５ａの表示制御を行う表示制御装置(図示せず)と、当該パチンコ機１０の遊技演出を制御する演出制御基板が収容された演出制御装置(図示せず)が配設されている。図柄表示装置４５の表示部４５ａには、飾図を変動表示可能な図柄列が複数列(例えば３列)設定されており、第１始動入賞装置３０または第２始動入賞装置へのパチンコ球の入賞を契機として、各図柄列の飾図が変動開始されると共に背景画像等が表示され、選択された図柄変動演出(リーチ演出や外れ演出等)を行った後に、予め決定された最終停止図柄を、入賞ライン上に停止表示するようになっている。なお実施例では、図柄表示装置４５として、表示部４５ａが液晶パネルである液晶表示装置が採用されるが、これに限られるものではなく、ドラム式の図柄表示装置やドットマトリックス式の図柄表示装置等の各種図柄を停止および変動表示可能な従来公知の各種の表示装置も採用可能である。
【００２４】
(主制御装置)
実施例のパチンコ機１０の遊技を総合的に制御する主制御装置の主制御基板は、設置部材４０における設置壁部４１の下板部の後側(図柄表示装置４５の配設位置の下側)に、基板ケースに収容されて配設されている。主制御基板は、制御動作を所定の手順で実行することができるメイン制御ＣＰＵ、メイン制御ＣＰＵの制御プログラムを格納するメイン制御ＲＯＭおよび必要なデータの書き込みおよび読み出しができるメイン制御ＲＡＭを備えている。
【００２５】
主制御基板は、大当り判定用乱数、大当り図柄用乱数、変動パターン振分用乱数、普図当り判定用乱数等の各種乱数の値を所定の周期毎に更新し、更新後の値をメイン制御ＲＡＭの設定領域に記憶(設定)することで更新前の値を書き換えており、乱数更新処理(乱数生成処理)を実行するようになっている。例えば、主制御基板では、第１始動入賞装置３０または第２始動入賞装置の始動入賞センサから検出信号が入力されると、メイン制御ＣＰＵがメイン制御ＲＯＭから大当り判定用乱数を取得し、この大当り判定用乱数とメイン制御ＲＯＭに記憶されている大当り判定値とを比較し、大当りとするか否かの大当り判定(大当り抽選)を行う。また主制御基板では、大当り判定の結果が肯定の場合には、変動パターンテーブルから大当り演出用の変動パターンを決定する。これに対して、大当り判定の結果が否定の場合には、変動パターンテーブルからはずれ演出用の変動パターンを決定する。大当り演出用およびはずれ演出用の変動パターンの決定は、大当り判定と同様に、メイン制御ＣＰＵがメイン制御ＲＯＭから取得した乱数により行う。なお、変動パターンテーブルから決定される大当り演出およびはずれ演出の変動パターンは、少なくとも図柄変動ゲームの変動時間および演出内容を特定するものである。そして、パチンコ機１０では、主制御基板の大当り判定の結果に応じて出力された演出制御基板の制御信号に基づいて、図柄表示装置４５に所定の演出表示を行わせると共に、主制御基板の制御により出力された球払出しに係る制御信号に基づいて、図示しない球払出装置によって所定数の賞球が上球皿１４へ払い出される。
【００２６】
(演出制御装置)
演出制御装置の演出制御基板には、演出制御ＣＰＵが備えられると共に、該演出制御ＣＰＵには、演出制御ＲＯＭおよび演出制御ＲＡＭが接続されている。また、演出制御ＣＰＵは、実行可否判定用乱数や動作演出パターン抽選用乱数等の各種乱数の値を所定の周期毎に更新し、更新後の値を演出制御ＲＡＭの設定領域に記憶(設定)して更新前の値を書き換えている。更に、演出制御ＲＯＭには、図柄表示装置４５の表示部４５ａにおける演出内容を制御する表示制御基板、前枠１３等に配設されたランプ装置を制御するランプ制御基板を制御するプログラムや、外枠１１等に配設されたスピーカを制御する音制御基板等を制御するプログラムや、実施例の可動演出装置５０およびその他の演出装置を作動制御するプログラム等が記憶されている。
【００２７】
演出制御ＣＰＵは、各種制御コマンドを入力すると、演出制御プログラムに基づき各種制御を実行する。例えば、演出制御基板では、主制御基板のメイン制御ＣＰＵから変動パターン指定コマンドが入力されると、演出制御ＣＰＵが演出制御ＲＯＭから実行可否判定用乱数を取得し、この実行可否判定用乱数と演出制御ＲＯＭに記憶されている実行可否判定値とを比較し、実施例の可動演出装置５０の可動体演出を実行するか否かの実行可否判定を行う。そして、演出制御基板は、実行可否判定の結果が肯定の場合において、可動演出装置５０を動作させる。
【００２８】
(可動演出装置５０)
次に、可動演出装置５０につき、図面を引用して説明する。なお、以下の説明において、可動演出装置５０の「前」、「後」、「左」、「右」とは、特に断りのない限り、設置部材４０の設置壁部４１に取り付けた可動演出装置５０をパチンコ機１０の前側から見た状態で指称する。
【００２９】
可動演出装置５０は、図４〜図６に示すように、設置部材４０における設置壁部４１の下板部４１ａに取り付けられるベース体５１と、作動手段７５の作動に伴って待機位置および該待機位置から離れた動作位置の間を往復移動可能な移動体５２と、移動体５２の前側に配設されて該移動体５２と連係し、該移動体５２の往復移動に伴って第１初期姿勢および第１動作姿勢の間で姿勢変位可能な第１可動体(可動体)５３と、この第１可動体５３に連係し、該移動体５２の姿勢変位に伴って第２初期姿勢および第２動作姿勢の間で姿勢変位可能な第２可動体５４とを備えている。第１可動体５３は、移動体５２の前側に横並びに配設された一対からなり、第２可動体５４は、夫々の第１可動体５３,５３に個別に連係された一対からなっている。また、移動体５２と各第１可動体５３,５３とは、該移動体５２に設けられた移動ガイドレール(第１連係手段、第１ガイド部)１００および該第１可動体５３に設けられた可動ガイドローラ(第１連係手段、第２ガイド部)１２７により連係されていると共に、第１可動体５３と第２可動体５４とは、該第１可動体５３に設けられた第１ギア(第２連係手段)１２９および該第２可動体５４に設けられた第２ギア(第２連係手段)１４７により連係されている。また、実施例の可動演出装置５０では、第１可動体５３に設けられた第１ギア１２９に連結された付勢手段５７を備え、第１ギア１２９を介して第１可動体５３を第１動作姿勢に向けて付勢すると共に、第１ギア１２９に噛み合う第２ギア１４７を介して第２可動体５４を第２動作姿勢に向けて付勢するよう構成されている。
【００３０】
(ベース体５１)
ベース体５１は、図５〜図７および図１４〜図１６に示すように、設置部材４０の設置壁部４１における下板部４１ａにネジにより固定される第１ベース部材(ベース部材)６０と、第１ベース部材６０の後側に組み付けられる第２ベース部材６１とから構成されている。ベース体５１は、第１ベース部材６０と第２ベース部材６１とを前後に組み付けることで横長の板状に構成され、縦幅および横幅が設置壁部４１の下板部４１ａと略同じサイズに構成されている。
【００３１】
(第１ベース部材６０)
第１ベース部材６０は、図５、図１４および図１５に示すように、作動機構配設部６２、移動体配設部６３、第１可動体配設部６４、第２可動体配設部６５が設けられており、全体が一体に成形された部材である。実施例では、合成樹脂製の一体成形部材である。第１ベース部材６０は、各配設部６２,６３,５４,６５の部材設置面が必要に応じて前後に凹凸していると共に開口が形成されている。また、第１ベース部材６０は、その後面から後方へ突出するリブが、外縁や開口縁に沿って延設されており、撓み変形や捻れ変形が発現され難く構成されている(図１６参照)。
【００３２】
(第２ベース部材６１)
第２ベース部材６１には、図５、図１４および図１５に示すように、当該可動演出装置５０を構成する回転部材を回転可能に支持する複数の支持軸６６〜６９が、該第２ベース部材６１の前面から前方へ突出した状態で固定されている。ここで、第１支持軸６６は後述するカムギア７９を回転可能に支持し、第２支持軸６７は作動レバー７６を回転可能に支持し、左右に離間して配設される一対の第３支持軸６８,６８は、一対の第１可動体５３,５３を夫々回転可能に支持し、左右に離間して配設される一対の第４支持軸６９,６９は、一対の第２可動体５４,５４を夫々回転可能に支持するものである。第１〜第４の支持軸６６,６７,６８,６９は、第２ベース部材６１に対してカシメ付けにより基部が固定され、第１ベース部材６０に形成された各開口を介して該第１ベース部材６０の前方へ延出している。
【００３３】
(作動機構５８)
作動機構５８は、前述した移動体５２を、待機位置(図７、図１１参照)および該待機位置から上方に離れた動作位置(図５、図６、図８、図１３参照)の間を昇降移動させ得るよう構成されている。作動機構５８は、図５、図１１および図１４に示すように、作動手段としての第１作動モータ７５と、該第１作動モータ７５に連係されると共に移動体５２に連係する作動レバー７６とを備えており、該第１作動モータ７５の正逆回転に伴って作動レバー７６が往復回転することで、移動体５２を待機位置および動作位置の間で昇降移動させるよう構成されている。また、作動機構５８は、第１作動モータ７５の駆動軸に固定された駆動ギア７７連係する連係ギア７８と、該連係ギア７８に連係すると共に作動レバー７６に連係するカムギア７９とを備えている。実施例では、３つの連係ギア７８が直列状に配設されて、駆動ギア７７と噛み合う第１連係ギア７８ａとカムギア７９と噛み合う第３連係ギア７８ｃとの夫々に第２連係ギア７８ｂが噛み合うように構成されている。
【００３４】
作動機構５８を構成する第１作動モータ７５、各連係ギア７８,７８,７８および作動レバー７６は、図５および図１４に示すように、第１ベース部材６０の下部左側に設けられた作動機構配設部６２に、左側から第１作動モータ７５、第１連係ギア７８ａ、第２連係ギア７８ｂ、第３連係ギア７８ｃ、カムギア７９および作動レバー７６の順に配設される。第１作動モータ７５は、作動機構配設部６２における前方に突出した部分に駆動軸を後方に向けた姿勢で固定され、駆動ギア７７は該突出部分の後側に延出した駆動軸に固定されている。また、作動機構配設部６２の前側には、第１作動モータ７５および作動レバー７６の間において前方に露出する各連係ギア７８ａ,７８ｂ,７８ｃを覆うカバー部材８０が配設される(図１４参照)。
【００３５】
(カムギア７９)
カムギア７９は、図５、図１１および図１４に示すように、前述した第１支持軸６６に回転自在に支持され、第３連係ギア７８と噛み合うギア部７９ａと、該ギア部７９ａの前面に形成された円板部７９ｂから前方へ突出した支軸に回転自在に配設された連係手段としてのギアガイドローラ８１とを備えている。ギアガイドローラ８１は、カムギア７９の円板部７９ｂにおける回転中心から半径方向へ離間した位置に回転自在に設けられ、第３連係ギア７８の回転に伴って円板部７９ｂが回転することで、図１１に示す位置および図１３に示す位置の間を下方に凸となる円弧状に移動するようになっている。このギアガイドローラ８１は、作動レバー７６に設けられた第１レバー連係部としてのレバー連係孔８８に連係される(図４参照)。
【００３６】
(作動レバー７６)
作動レバー７６は、図１１〜図１４に示すように、カムギア７９の上方に位置する前述した第２支持軸６７が挿通する軸支持孔８５を備え、該第２支持軸６７を中心として往復回転自在に支持されている。作動レバー７６は、カムギア７９の前側に位置する基部８６と、該基部８６から側方(実施例では左方)へ延出するレバー部８７とを備えており、該レバー部８７の先端部が上下方向に移動するように往復回転するようになっている。基部８６に扇形の板状に形成され、該基部８６には、前述したギアガイドローラ８１が連係するレバー連係孔８８が設けられている。実施例のレバー連係孔８８は、カムギア７９の回転に伴って円弧状に往復移動するギアガイドローラ８１が嵌合して、該ギアガイドローラ８１が移動可能に係合する長孔に形成されている。これにより、カムギア７９が回転してギアガイドローラ８１が円弧状に往復移動することで、レバー部８７の先端部が上下方向に移動する動作が作動レバー７６に生起される。また、図１１〜図１４に示すように、レバー部８７の先端部には、移動体５２に設けられた連係手段としての移動連係孔９９に連係する連係手段としてのレバーガイドローラ８９が、支軸に回転自在に配設されている。
【００３７】
従って、実施例の作動機構５８は、第１作動モータ７５の作動により、作動レバー７６が、図１２に示す位置を通過して図１１に示す下位置および図１３に示す上位置の間を往復移動するようになり、これに伴ってレバーガイドローラ８９が、右方に凸となる円弧状に移動しながら昇降移動するようになる。なお、第２支持軸６７には捻りバネ９０が配設されており(図１１〜図１４参照)、該捻りバネ９０の一方脚部が第１ベース部材６０のベース保持部７０(図５参照)に係止すると共に、他方脚部が作動レバー７６のバネ係止部７１(図１１参照)に係止している。これにより、作動レバー７６は、捻りバネ９０の付勢により、下位置から上位置に向けて常に付勢された状態となっている。
【００３８】
(移動体５２)
移動体５２は、図１１〜図１６に示すように、複数の開口を有する枠体状に形成され、昇降移動手段に支持された状態で、ベース体５１に対して前述した待機位置および動作位置の間を昇降移動するようになっている。ここで実施例では、昇降移動手段として、スライドレール９５と、第１ベース部材６０に設けられたガイドレール９６に案内される移動ガイドローラ９７とを備えている。スライドレール９５と移動ガイドローラ９７とは、移動体５２の後側において左右に離間して設けられている。
【００３９】
スライドレール９５は、図１１〜図１４に示すように、ベース体５１の第１ベース部材６０および移動体５２に対してスライド方向が上下方向となる向きで取り付けられる。スライドレール９５は、第１ベース部材６０の移動体配設部６３に固定される固定レール部材９５ａと、該固定レール部材９５ａに対して往復移動可能に配設されたスライダ(図示せず)を介して固定レール部材９５ａに対して往復移動可能に配設される移動レール部材９５ｂとを備え、該移動レール部材９５ｂが移動体５２の後面に固定されている。移動レール部材９５ｂは、固定レール部材９５ａと前後に整合した重なり位置(図１１参照)と、スライダの移動に伴って固定レール部材９５ａから上方へ延出した延出位置(図１３参照)との間を昇降移動するようになっている。
【００４０】
(ガイドレール９６および移動ガイドローラ９７)
ガイドレール９６は、図１４〜図１６に示すように、第１ベース部材６０に、移動体５２の昇降移動量に合わせた長さで上下方向に延在した状態で形成され、移動ガイドローラ９７が転動可能に係合している。すなわち、移動体５２の待機位置において移動ガイドローラ９７がガイドレール９６の下端に位置し、移動体５２の動作位置において移動ガイドローラ９７がガイドレール９６の上端に位置するようになっている。
【００４１】
(移動連係孔９９)
移動体５２には、図１１〜図１６に示すように、前述した作動レバー７６に設けられたレバーガイドローラ８９が連係する移動連係孔９９が設けられている。移動連係孔９９は、ガイドローラであるレバーガイドローラ８９が係合すると共に移動可能に構成された前後に開口する長孔であり、長手が左右方向となるように形成されている。これにより、移動連係孔９９にレバーガイドローラ８９が係合した状態で、作動レバー７６が下位置にある場合に移動体５２は待機位置に保持され、作動レバー７６が下位置から上位置に向けて姿勢変位するのに伴って移動体５２は待機位置から動作位置に向けて上昇移動し、作動レバー７６が上位置に到達すると移動体５２が動作位置まで上昇して停止するように構成されている。
【００４２】
(移動ガイドレール１００)
移動体５２には、図１１〜図１６に示すように、各第１可動体５３,５３に設けられた可動ガイドローラ(第１連係手段、第２ガイド部)１２７が個別に連係する移動ガイドレール(第１連係手段、第１ガイド部)１００,１００が設けられている。各移動ガイドレール１００,１００は、可動ガイドローラ１２７が係合すると共に移動可能に構成された前後に開口する長孔であり、長手が上下方向となるように形成されている。ここで、移動体５２の左部に設けられた左の移動ガイドレール１００は、左の第１可動体５３を回転自在に支持する左の第３支持軸６８の右側に位置しており、上下方向に延在する上下延在部１０１と、該上下延在部１０１の下縁から下方にいくにつれて右方へ斜めに延在する傾斜延在部１０２とを備えている。一方、移動体５２の右部に設けられた右の移動ガイドレール１００は、右の第１可動体５３を回転自在に支持する右の第３支持軸６８の左側に位置しており、上下方向に延在する上下延在部１０１と、該上下延在部１０１の下縁から下方にいくにつれて左方へ斜めに延在する傾斜延在部１０２とを備えている。
【００４３】
(装飾板１０４)
図５および図１４に示すように、移動体５２の前側に、装飾板１０４が配設されている。装飾板１０４は、移動体５２の前側下部を覆う形状に形成されると共に透光性を有し、前面にはメッキや印刷による所要のデザインが施されている。また、装飾板１０４の後側には、複数のＬＥＤ１０５ａが実装されたＬＥＤ実装面を前側に向けた状態で移動照明基板１０５が配設されると共に、該装飾板１０４と移動照明基板１０５との間に光拡散部材１０６が配設されている。これにより、ＬＥＤ１０５ａからの光が光拡散部材１０６で拡散されて装飾板１０４の後面に照射されることで、該装飾板１０４が明輝するよう構成されている。
【００４４】
(回転演出ユニット１１０)
図４〜図８および図１１〜図１４に示すように、移動体５２の前側に、回転演出体(演出体)１１１を備えた回転演出ユニット１１０が配設されている。この回転演出ユニット１１０は、移動体５２の前側上部に固定されるユニットベース１１２と、該ユニットベース１１２の前側に配設され、該ユニットベース１１２に前後方向へ軸心が延在するように配設された回転シャフト１１３の前端部に配設された前述の回転演出体１１１と、ユニットベース１１２の後側に配設され、前記回転シャフト１１３を回転させる第２作動モータ(第２の作動手段)１１４とを備えている。第２作動モータ１１４の駆動軸には駆動ギア１１５が固定されると共に、回転シャフト１１３の後端には、該駆動ギア１１５に噛み合う従動ギア１１６が配設されており、該駆動軸の回転が回転シャフト１１３に伝達されて回転演出体１１１が回転するようになっている。回転演出体１１１は、ユニットベース１１２の前側を覆う円形状に形成されると共に透光性を有し、前面にはメッキや印刷により所要のデザインが施されている。
【００４５】
そして、図８および図１４に示すように、ユニットベース１１２の前側と回転演出体１１１との間に、複数のＬＥＤ１１７ａが実装されたＬＥＤ実装面を前側に向けた状態で回転照明基板１１７が配設されると共に、該回転照明基板１１７と回転演出体１１１との間に光拡散部材１１８が配設されている。これにより、ＬＥＤ１１７ａからの光が光拡散部材１１８で拡散されて回転演出体１１１の後面に照射されることで、該回転演出体１１１が明輝するよう構成されている。
【００４６】
(第１可動体５３)
図４(ｂ)および図５に示すように、移動体５２の前側において並んで配設された一対の第１可動体５３,５３は、前側の第１可動装飾部材１２１のデザインや色彩に僅かな差異があると共に左右対称形状であるが、基本的な構造は同じである。そこで、以下では、左の第１可動体５３に基づいて説明し、右の第１可動体５３については、左の第１可動体５３と同一部位、部材は同じ符号を付して説明は省略する。
【００４７】
左の第１可動体５３は、図１５および図１７に示すように、第１可動ベース１２０と、該第１可動ベース１２０の前側に組み付けられる第１可動装飾部材１２１とを備えると共に、第１可動ベース１２０と第１可動装飾部材１２１とを組み付けることで画成された空間内に第１可動照明基板(電気部品)１２２および第１可動レンズ部材１２３を収容して構成されている。実施例の第１可動体５３は、図１１に示す第１初期姿勢において、移動体５２に近接した右側縁の上下長が、該移動体５２と反対側の左側縁の上下長よりも長く、上縁が左にいくにつれて下方傾斜すると共に下縁が左にいくにつれて上方傾斜する縦長の略台形形状に形成されている。第１可動体５３の第１可動ベース１２０は、該第１可動ベース１２０に設けられた軸支持部１２５(図１７参照)によりベース体５１の第１ベース部材６０に配設された前述の第３支持軸６８に支持されると共に、該第１可動ベース１２０に配設された可動ガイドローラ１２７(図１６参照)が移動体５２の移動ガイドレール１００に係合されることで、姿勢が規定されるようになっている。そして、移動体５２が待機位置にある場合に第１初期姿勢に保持され(図１１参照)、移動体５２が待機位置から動作位置に移動する過程で第１初期姿勢から第１動作姿勢に姿勢変位し、移動体５２が動作位置にある場合に第１動作姿勢に保持されるようになっている(図１３参照)。
【００４８】
(第１可動ベース１２０)
第１可動ベース１２０は、図１１および図１７に示すように、第１可動体５３の第１初期姿勢において、移動体５２に近接した右側縁の上下長が、該移動体５２と反対側の左側縁の上下長よりも長く、上縁が左にいくにつれて下方傾斜すると共に下縁が左にいくにつれて上方傾斜する縦長の略台形板状に構成されている。そして、第１可動ベース１２０は、移動体５２側と反対側の左上部に、後方へ凹んだ段差部１２４が設けられ、該段差部１２４には、前後方向に貫通する軸支持孔１２６が形成された軸支持部１２５が設けられている。この軸支持孔１２６は、ベース体５１の第２ベース部材６１に設けられた第３支持軸６８が挿通して摺接するようになっており(図１５参照)、軸支持部１２５により第１可動ベース１２０が第３支持軸６８に回転可能に支持されるようになっている。なお、軸支持孔１２６に挿通した第３支持軸６８の先端は、軸支持部１２５から前方へ突出するようになっており、第３支持軸６８の該突出部分は、後述する第１中継基板１６５を収容する第１基板ケース１６６(図１５、図１９参照)に設けられた第１軸保持部１６７で保持されるようになっている。
【００４９】
(可動ガイドローラ１２７)
第１可動ベース１２０には、図１１〜図１３および図１７に示すように、移動体５２の移動ガイドレール(第１連係手段、第１ガイド部)１００に移動可能に係合する可動ガイドローラ(第１連係手段、第２ガイド部)１２７が設けられている。可動ガイドローラ１２７は、第１可動ベース１２０における移動体５２側である右端縁における上下略中央部から後方へ延出した支軸１２８(図１６、図１７参照)に回転自在に配設されたガイドローラである。この可動ガイドローラ１２７は、長孔に形成された前述の移動ガイドレール１００に係合すると共に、該移動体５２の昇降移動に伴って該移動ガイドレール１００に沿って相対的に移動するようになっている。ここで、可動ガイドローラ１２７の配設位置は、図１１に示すように、第３支持軸６８(軸支持孔１２６)の右斜め下方(図１１〜図１３では左斜め下方)に離間して位置しており、該可動ガイドローラ１２７は、第１可動体５３が第３支持軸６８を中心として往復回転する際に円弧状に移動するようになる。すなわち、左の第１可動体５３における可動ガイドローラ１２７は、該第１可動体５３が第１初期姿勢から正面視において左回転する際に、可動ガイドローラ１２７が第３支持軸６８を中心として円弧状に移動しつつ移動体５２の中央に近づくように移動するようになる(右の第１可動体５３における可動ガイドローラ１２７は、該右の第１可動体５３が第１初期姿勢から正面視において右回転する際に、可動ガイドローラ１２７が第３支持軸６８を中心として円弧状に移動しつつ移動体５２の中央に近づくように移動するようになる)。
【００５０】
そして、左の第１可動体５３は、可動ガイドローラ１２７が左の移動ガイドレール１００における上下延在部１０１に位置している場合は第１初期姿勢に保持されるようになっている(図１１、図１２参照)。そして、左の第１可動体５３は、移動体５２の上昇移動に伴って可動ガイドローラ１２７が左の移動ガイドレール１００における傾斜延在部１０２に相対的に移動すると、移動体５２の上昇移動に伴って該傾斜延在部１０２が該移動体５２の中央方向へ相対的に変位することで可動ガイドローラ１２７が該移動体５２の中央方向へ押され、これに伴って第１初期姿勢から第１動作姿勢に向けて回転変位するようになる。そして、左の第１可動体５３は、第３支持軸６８より下側部分が移動体５２の中央方向(実施例では右方向)へ変位すると共に、該第３支持軸６８より上側部分が移動体５２から離れる方向(実施例では左方向)へ変位するようになり、第１動作姿勢では、上方にいくにつれて移動体５２から離間する左方向へ傾斜した姿勢となるようになっている(図４(ａ)、図５参照)。一方、左の第１可動体５３と左右対称構造をなす右の第２可動体５４は、左の第１可動体５３と左右対称の動作をすることで、第１動作姿勢では、上方にいくにつれて移動体５２から離間する右方向へ傾斜した姿勢となるようになっている(図４(ａ)、図５参照)。
【００５１】
(第１ギア１２９)
第１可動ベース１２０には、図１０〜図１４に示すように、第２可動体５４に設けられた第２ギア(第２連係手段)１４７に連係する第１ギア(第２連係手段)１２９が設けられている。第１ギア１２９は、第１可動ベース１２０における段差部１２４に設けられている。実施例の第１ギア１２９は、軸支持部１２５の外側に、軸支持孔１２６を中心とする円弧状の歯部を備えた扇形に形成されている。
【００５２】
第１可動装飾部材１２１は、図１７に示すように、前壁部１３０および周壁部１３１からなり、後方へ開口している。前壁部１３０は、第１可動ベース１２０の全体を覆い得ると共に、下部の移動体５２側は、該移動体５２側へ湾曲すると共に延出した形状に構成されている。これにより、左右の第１可動体５３,５３が夫々の第１動作姿勢となった際に、左の第１可動体５３における第１可動装飾部材１２１の下部および右の第１可動体５３における第１可動装飾部材１２１の下部が当接するよう構成されている(図４(ａ)、図５参照)。そして、前壁部１３０は、透明または半透明な透光部１３１ａおよびメッキや塗装が施された非透光部１３１ｂとを備えている。また、第１可動体５３の第１動作姿勢時に、周壁部１３１における上周壁１３１ａが、第２動作姿勢の第２可動体５４における周壁部１４９の横周壁１４９ａと、前後方向において一致するようになっている(図４(ｂ)、図１３参照)。
【００５３】
第１可動照明基板(電気部品)１２２は、図１７に示すように、第１可動ベース１２０の正面から見た輪郭形状より一回り小さい輪郭形状に形成されている。第１可動照明基板１２２は、複数のＬＥＤ１２２ａが実装されたＬＥＤ実装面を前側に向けた状態で第１可動ベース１２０に固定される。また、第１可動レンズ部材１２３は、第１可動装飾部材１２１の前壁部１３０の裏側形状に合致する形状に形成されている。これにより、第１可動体５３,５３は、ＬＥＤ１２２ａからの光が第１可動レンズ部材１２３を透過することで、第１可動装飾部材１２１における透光部１３０ａが明輝するようになっている。
【００５４】
(第１配線保持部１３２)
各第１可動体５３,５３の第１可動ベース１２０には、図１１、図１７および図２１に示すように、当該第１可動体５３に配設された電気部品としての第１可動照明基板１２２に接続された第１配線Ｗ１を保持する第１配線保持部１３２が設けられている。ここで、実施例では、第１配線Ｗ１として複数の導線を横並びに纏めたフレキシブルケーブルが採用されている。従って、フレキシブルケーブルからなる第１配線Ｗ１を保持可能な第１配線保持部１３２は、第１可動ベース１２０における段差部１２４において、該段差部１２４をなす壁部１２４ａおよび該壁部１２４ａと軸支持部１２５との間に設けられた隔壁１３２ａにより形成され、該壁部１２４ａと隔壁１３２ａとの間に第１配線Ｗ１を挟み込んで保持するよう構成されている。すなわち、第１配線保持部１３２は、第１可動ベース１２０の前側および段差部１２４の側方へ夫々開放した隙間であり、第１可動ベース１２０の前側から段差部１２４の壁部１２４ａに沿って配設された第１配線Ｗ１を、第１配線保持部１３２に対して折り曲げた状態で差し込み、段差部１２４の側方へ延出させるようになっている。これにより第１配線Ｗ１は、第１可動ベース１２０の後側方に延出して、中継基板(左の第１可動体５３は第１中継基板１６５に接続され、右の第１可動体５３は第２中継基板１７０)に接続可能となる。そして、第１配線保持部１３２は、前述した隔壁１３２ａにより、保持した第１配線Ｗ１が軸支持部１２５および第１ギア１２９側へ移動することを規制し得るようになっており、当該第１配線Ｗ１が軸支持部１２５や第１ギア１２９に接触することや引っ掛かることを防止し得るようになっている。
【００５５】
(第２可動体５４)
図４(ｂ)および図５に示すように、各第１可動体５３,５３の上方において並んで配設された一対の第２可動体５４,５４は、第２可動装飾部材１４１のデザインや色彩に僅かな差異があると共に左右対称形状であるが、基本的な構造は同じである。そこで、左の第２可動体５４に基づいて説明し、右の第２可動体５４については、左の第２可動体５４と同一部位、部材は同じ符号を付して説明は省略する。
【００５６】
左の第２可動体５４は、図１１および図１８に示すように、第２可動ベース１４０と、該第２可動ベース１４０の前側に組み付けられる第２可動装飾部材１４１とを備えると共に、第２可動ベース１４０と第２可動装飾部材１４１とを組み付けることで画成された空間内に第２可動照明基板１４２および第２可動レンズ部材１４３を収容して構成されている。実施例の第２可動体５４は、図１１に示す第２初期姿勢において、下縁の左右長が上縁の左右長よりも長く、左側縁が上にいくにつれて右方へ傾斜すると共に右縁が上にいくにつれて左方へ傾斜する横長の略台形形状に形成されている。第２可動体５４の第２可動ベース１４０は、該第２可動ベース１４０に設けられた軸支持孔１４６(図１８参照)によりベース体５１の第２ベース部材６１に配設された前述の第４支持軸６９に支持されると共に、該第２可動ベース１４０に配設された第２ギア１４７(図１１参照)が第１可動体５３の第１ギア１２９に連係されることで、姿勢が規定されるようになっている。そして、第１可動体５３が第１初期姿勢にある場合に第２初期姿勢に保持され(図１１参照)、第１可動体５３が第１初期姿勢から第１動作姿勢に移動する過程で第１初期姿勢から第２動作姿勢に姿勢変位し、第１可動体５３が第１動作姿勢にある場合に第２動作姿勢に保持されるようになっている(図１３参照)。
【００５７】
(第２可動ベース１４０)
第１可動ベース１４０は、図１１および図１８に示すように、第２可動体５４の第２初期姿勢において、上縁の上下長が下縁の上下長よりも長く、左縁が上にいくにつれて右方へ傾斜すると共に右縁が上にいくにつれて左方へ傾斜する横長の略台形板状に構成されている。そして、第２可動ベース１４０は、第１可動体５３側の右下部から右下方へ延出したアーム部１４４が設けられ、該アーム部１４４の先端部には、前後方向に貫通する軸支持孔１４６が形成された軸支持部１４５が設けられている。この軸支持孔１４６は、ベース体５１の第２ベース部材６１に設けられた第４支持軸６９が摺接するように挿通しており(図１５参照)、軸支持部１４５により第２可動ベース１４０が第４支持軸６９に回転可能に支持されるようになっている。なお、軸支持孔１４６に挿通した第４支持軸６９の先端は、軸支持部１４５から前方へ突出しており、第４支持軸６９の該突出部分は、後述する第１中継基板１６５を収容する第１基板ケース１６６(図１９参照)に設けられた第２軸保持部１６８で保持されるようになっている。
【００５８】
(第２ギア１４７)
第２可動ベース１４０には、図１１〜図１３および図１８に示すように、第１可動体５３に設けられた第１ギア(第２連係手段)１２９に連係する第２ギア(第２連係手段)１４７が設けられている。第２ギア１４７は、第２可動ベース１４０におけるアーム部１４４の先端部に設けられた第２ギアである。実施例の第２ギア１４７は、軸支持孔１４６の外側に、軸挿通孔１４６を中心とする円弧状の歯部を備えた扇形に形成されており、第１ギア１２９と常に噛み合った状態に設けられている。すなわち、第１可動体５３が第３支持軸６８を中心として第１初期姿勢および第１移動姿勢の間を往復回転変位する際に、第１ギア１２９と第２ギア１４７とが常に噛み合っていることで、該第１可動体５３の往復回転変位に連動して第２可動体５４が第２初期姿勢および第２動作姿勢の間を往復回転変位するようになっている。
【００５９】
第２可動装飾部材１４１は、図１８に示すように、前壁部１４８および周壁部１４９からなり、後方へ開口しており、前壁部１４８は第２可動ベース１４０の全体を覆い得る形状に構成されている。前壁部１４８は、透明または半透明な透光部１４８ａおよびメッキや塗装が施された非透光部１４８ｂとを備えている。そして、左の第２可動体５４は、第２動作姿勢となった際に、第１動作姿勢となった左の第１可動体５３の上部に前方から見て整合すると共に、右の第２可動体５４は、第２動作姿勢となった際に、第１動作姿勢となった右の第１可動体５３の上部に前方から見て整合するようになっている(図４(ｂ)、図１３参照)。すなわち、第２可動体５４の第２動作姿勢時に、周壁部１４９における横周壁１４９ａが、第１動作姿勢の第１可動体５３における周壁部１３１の上周壁１３１ａと、前後方向において一致するようになっている。
【００６０】
第２可動照明基板１４２は、図１８に示すように、第２可動ベース１４０の正面から見た輪郭形状より一回り小さい輪郭形状に形成されている。第２可動照明基板１４２は、複数のＬＥＤ１４２ａが実装されたＬＥＤ実装面を前側に向けた状態で第２可動ベース１４０に固定される。また、第２可動レンズ部材１４３は、第２可動装飾部材１４１の前壁部１４８の裏側形状に合致する形状に形成されている。これにより、第２可動体５４,５４は、ＬＥＤ１４２ａからの光が第２可動レンズ部材１４３を透過することで、第２可動装飾部材１４１における透光部１４８ａが明輝するようになっている。
【００６１】
(第２配線保持部１５０)
第２可動体５４の第２可動ベース１４０には、図１１および図１８に示すように、当該第２可動体５４に配設された電気部品としての第２可動照明基板１４２に接続された第２配線Ｗ２を保持する第２配線保持部１５０が設けられている。ここで、実施例では、第２配線Ｗ２としてフレキシブルケーブルが採用されており、第２配線保持部１５０は、アーム部１４４の側縁部に設けられた複数の保持片１５０ａから構成されている。すなわち、第２配線保持部１５０は、第２可動ベース１４０の前側に沿って配設された第２配線Ｗ２を、第２配線保持部１５０の各保持片１５０ａに差し込むことでアーム部１４４の側縁に沿って配線される。これにより第２配線Ｗ２は、第２可動ベース１４０の下方へ延出して、中継基板(左の第２可動体５４は第１中継基板１６５に接続され、右の第２可動体５４は第２中継基板１７０)に接続可能となる。そして、第２配線保持部１５０は、前述した保持片１５０ａにより、保持した第２配線Ｗ２が軸支持部１４５および第２ギア１４７側へ移動することを規制し得るようになっており、当該第２配線Ｗ２が軸支持部１４５や第２ギア１４７に接触することや引っ掛かることを防止し得るようになっている。
【００６２】
実施例の可動演出装置５０は、図５および図１３に示すように、第１動作姿勢になった左の第１可動体５３および第２動作姿勢になった左の第２可動体５４が、夫々の周壁部１３１,１４９における上周壁１３１ａおよび横周壁１４９ａが前後方向で一致することで、互いに連なって上方に向かうにつれて左方へ変位する左上がりに傾斜した状態となる。また、第１動作姿勢になった右の第１可動体５３および第２動作姿勢になった右の第２可動体５４が、夫々の周壁部１３１,１４９における上周壁１３１ａおよび横周壁１４９ａが前後方向で一致することで、互いに連なって上方に向かうにつれて右方へ変位する右上がりに傾斜した状態となる。すなわち、互いに連なった一方の第１可動体５３および一方の第２可動体５４と、互いに連なった他方の第１可動体５３および他方の第２可動体５４とが、上方に向かうにつれて互いに離間するよう傾斜して単一の意匠を形成するよう構成されている。
【００６３】
(可動体の付勢構造について)
実施例の可動演出装置５０は、図１１〜図１３に示すように、第１作動モータ７５(作動手段)の作動下に移動体５２が待機位置から動作位置へ移動する際に、第１動作姿勢への第１可動体５３の姿勢変位および第２動作姿勢への第２可動体５４の姿勢変位を付勢手段５７で補助するよう構成されている。ここで、実施例では、付勢手段５７が、第２連係手段５６に連結され、該第２連係手段５６を介して第１可動体５３を第１動作姿勢に向け付勢すると共に第２可動体５４を第２動作姿勢に向け付勢するよう構成されている。具体的には、付勢手段５７は、第１可動体５３に設けられた第１ギア１２９および該第１ギア１２９と噛み合った状態で第２可動体５４に設けられた第２ギア１４７の何れか連結されて、当該連係されたギアを付勢するコイルバネが採用されており、左の第１可動体５３および左の第２可動体５４を１つのコイルバネ５７で付勢すると共に、右の第１可動体５３および右の第２可動体５４を１つのコイルバネ５７で付勢するよう構成されている。
【００６４】
(コイルバネ５７)
コイルバネ５７は、図６、図７および図１６に示すように、一方の端部１５５が第２連係手段における第１ギア１２９に掛止されると共に、他方の端部１５６がベース体５１の第１ベース部材６０に掛止されている。すなわち、各第１ギア１２９には、コイルバネ５７の一方の端部１５５が掛止される鉤状の連係掛止片１５７が設けられていると共に、第１ベース部材６０には、当該コイルバネ５７の他方の端部１５６が掛止される鉤状のベース掛止片１５８が設けられている。各コイルバネ５７,５７は、一方の端部１５５が連係掛止片１５７に掛止されると共に、他方の端部１５６がベース掛止片１５８に掛止されることで、常に引張られる引張りタイプのバネである。そして、連係掛止片１５７およびベース掛止片１５８に架設されたコイルバネ５７は、第１可動体５３および第２可動体５４が夫々の初期姿勢において最大伸張長さとなり(図１１参照)、第１可動体５３および第２可動体５４が夫々の動作姿勢において最小伸張長さとなる(図１３参照)よう構成されている。
【００６５】
(バネ配設部１６０)
図６および図７に示すように、コイルバネ５７は、第１ギア１２９および第２ギア１４７よりも後側に配設されている。すなわち、コイルバネ５７は、第１可動体５３および第２可動体５４よりも後側に配設されている。ここで、第１ギア１２９および第２ギア１４７は、ベース体５１の第１ベース部材６０の前面に対して、僅かな隙間をもって配設されている。従って、ベース体５１には、コイルバネ５７を配設するためのバネ配設部１６０が形成されている。バネ配設部１６０は、第１ベース部材６０および第２ベース部材６１の夫々に、コイルバネ５７の全長よりも長い縦長の開口部を開口形成することで、ベース体５１の前後に開口した縦長の開口部である。そして、ベース掛止片１５８は、バネ配設部１６０における下端に設けられている(図７参照)。また、連係掛止片１５７は、第１ギア１２９の後面から後方へ突出するように形成されていると共に、第１可動体５３をベース体５１に配設した状態において、バネ配設部１６０の上端側に延出した状態となっている(図７参照)。従って、連係掛止片１５７に一方の端部１５５が掛止されると共にベース掛止片１５８に他方の端部１５６が掛止されたコイルバネ５７は、バネ配設部１６０内において上下方向に長手が向いた垂直姿勢で収容されている(図７参照)。なお、第１ベース部材６０には、バネ配設部１６０に対応する前側に、前方へ膨出した段部１３１が形成されており(図１４、図１７参照)、バネ配設部１６０内に配設されたコイルバネ５７がベース体５１の前面へ突出しないよう構成されている(図７参照)。
【００６６】
(第１ギアに対するコイルバネの掛止位置について)
図１０に実線で示すように、第１ギア１２９の後面に配設された連係掛止片１５７は、第１可動体５３の第１初期姿勢において、該第１可動体５３の姿勢変位の中心(回転中心)である第３支持軸６８および第２可動体５４の姿勢変位の中心(回転中心)である第４支持軸６９の軸心を結ぶ軸心間ラインＬよりも上方に位置するようになっている(以降「第１掛止位置」と云う)。一方、図１０に２点鎖線で示すように、連係掛止片１５７は、第１可動体５３の第１動作姿勢において、前述した軸心間ラインＬよりも下方に位置するようになっている(以降「第２掛止位置」と云う)。すなわち、連係掛止片１５７は、第１可動体５３が第１初期姿勢および第２初期姿勢の間の姿勢変位に伴って、第１掛止位置および第２掛止位置の間を、第２ギア１４７側へ凸となる円弧状に移動するようになっている。
【００６７】
ここで、図１０に示すように、連係掛止片１５７の第１掛止位置および第２掛止位置は、軸心間ラインＬを中心とした上下対称になる位置となっている。そして、第１掛止位置および第２掛止位置における連係掛止片１５７の移動経路は、該連係掛止片１５７が移動する円周ラインＲ上において、第１可動体５３の第１初期姿勢および第１動作姿勢の姿勢変位に対する第１ギア１２９の回転変位において、該連係掛止片１５７の左右方向の移動量が最も小さく、上下方向の移動量が最も大きくなる領域である。すなわち、連係掛止片１５７の主たる移動方向は上下方向となり、バネ配設部１６０に配設されたコイルバネ５７の伸縮方向と略同じ方向となっていることから、第１可動体５３の姿勢変位に対するコイルバネ５７の伸縮変形が効率よく発現されて、該第１可動体５３および第２可動体５４の円滑な姿勢変位が実現されるようになっている。そして、第１可動体５３が第１初期姿勢になると共に第２可動体５４が第２初期姿勢となった際にも、コイルバネ５７による付勢力が発現していることで、該第１可動体５３および第２可動体５４を夫々の第１動作姿勢および第２動作姿勢に向けて付勢することが可能となっている。
【００６８】
また、第１掛止位置および第２掛止位置の間においては、第１ギア１２９の回転変位に対する連係掛止片１５７の上下方向の移動量は、軸心間ラインＬ上において最大となり、第１掛止位置および第２掛止位置の近傍においては軸心間ラインＬ上での移動量よりも小さくなるが、移動量の変化は僅かである。すなわち、第１掛止位置および第２掛止位置の間における連係掛止片１５７の上下移動量は略一定であると見なすことができる。従って、第１可動体５３および第２可動体５４の夫々の初期姿勢および動作姿勢の間の姿勢変位と、コイルバネ５７の伸縮変形とが略比例する関係となっている。これにより、第１可動体５３および第２可動体５４が夫々の初期位置にある場合には、コイルバネ５７の付勢力が最も大きくなっていることから、該第１可動体５３および第２可動体５４の夫々の初期位置からの動作開始が適切に保持されるようになる。そして、第１可動体５３および第２可動体５４が夫々の動作位置に近づくにつれてコイルバネ５７の付勢力が徐々に小さくなっていくことから、該第１可動体５３および第２可動体５４が夫々の動作姿勢に唐突に姿勢変位して、第１可動体５３および第２可動体５４が衝撃することによる破損や異音の発生が防止されるようになっている。更に、第１可動体５３および第２可動体５４が夫々の動作姿勢となった状態でもコイルバネ５７にテンションが掛かっているので、該第１可動体５３および第２可動体５４が夫々の動作姿勢に付勢保持されるようになっている。
【００６９】
また、コイルバネ５７は、図１０に示すように、第１掛止位置および第２掛止位置の中間位置、すなわち前述した軸心間ラインＬにおいて、連係掛止片１５７が移動する円周ラインＲに対する接線方向に、該コイルバネ５７の長手方向が一致または略一致するようにバネ配設部１６０に配設されている。すなわち、第１可動体５３の回転中心(第１ギア１２９の回転中心)である第３支持軸６８および第２可動体５４の回転中心(第２ギア１４７の回転中心)である第４支持軸６９は、ベース体５１に対して略同一高さ位置に配設されており、前述した軸心間ラインＬは略水平に延在しており、コイルバネ５７は、前述したように、長手が上下方向(垂直方向)となるようにバネ配設部１６０に配設されている。従って、コイルバネ５７の付勢力が第１ギア１２９を回転させるための力に効率よく変換される構成となっている。
【００７０】
前述したように、第２連係手段である第１ギア１２９に、他方の端部１５６がベース体５１側に掛止されたコイルバネ５７の一方の端部１５５を掛止させたことで、第１ギアである該第１ギア１２９に回転力が付与されて、第１可動体５３が第１動作姿勢に向けて付勢される。一方、第２連係手段である第２ギア１４７が第１ギアである第１ギア１２９に常に噛み合う第２ギアであり、第１ギア１２９に回転力が付与されることで第２ギア１４７にも同じように回転力が付与されることで、第１可動体５３が第１動作姿勢に向けて付勢される。すなわち、実施例では、１つのコイルバネ５７により、第２連係手段により互いに連係されている第１可動体５３および第２可動体５４の両方を夫々の動作姿勢に向けて付勢することが可能である。
【００７１】
(第１基板ケース１６６および第２基板ケース１７１)
図１５に示すように、第１中継基板１６５を収容した第１基板ケース１６６および第２中継基板１７０を収容した第２基板ケース１７１が、第２ベース部材６１に夫々配設されている。第１中継基板１６５は、図１９に示すように、左の第１可動体５３に配設された第１可動照明基板１２２に接続された第１配線Ｗ１が接続される第１コネクタ１６５ａと、左の第２可動体５４に配設された第２可動照明基板１４２に接続された第２配線Ｗ２が接続される第２コネクタ１６５ｂと、図示省略した演出制御基板からの配線(図示せず)が接続される第３コネクタ１６５ｃとを備え、第１可動照明基板１２２および第２可動照明基板１４２と演出制御基板とを電気的に接続する。第２中継基板１７０は、右の第１可動体５３に配設された第１可動照明基板１２２に接続された第１配線Ｗ１と、右の第２可動体５４に配設された第２可動照明基板１４２に接続された第２配線Ｗ２と、前述した回転演出ユニット１１０の回転照明基板１１７および第２作動モータ１１４に接続された各配線(図示せず)と、図示省略した演出制御基板からの配線(図示せず)が接続されるようになっている。第１基板ケース１６６および第２基板ケース１７１は、基板ベース部材１６６ａ,１７１ａと、該基板ベース部材１６６ａ,１７１ａに組み付けられるカバー１６６ｂ,１７１ｂとを備えており、第１基板ケース１６６は、左の第１可動体５３および第２可動体５４を連係する第２連係手段(第１ギア１２９および第２ギア１４７)の側方において第１ベース部材６０に固定され、第２基板ケース１７１は、右の第１可動体５３および第２可動体５４を連係する第２連係手段(第１ギア１２９および第２ギア１４７)の側方において第１ベース部材６０に固定されるようになっている。
【００７２】
そして、図１９に示すように、第１基板ケース１６６および第２基板ケース１７１の基板ベース部材１６６ａ,１７１ａには、第１可動体５３を支持する第３支持軸６８の先端突出部を保持する第１軸保持部１６７,１７２と、第２可動体５４を支持する第４支持軸６９の先端突出部を保持する第２軸保持部１６８,１７３とを備えている。すなわち、第１基板ケース１６６および第２基板ケース１７１を第１ベース部材６０の所定位置に固定する際に、第１軸保持部１６７,１７２が第３支持軸６８の先端突出部を保持することで、該第３支持軸６８から第１可動体５３が外れることを防止し得ると共に、第２軸保持部１６８,１７３が第４支持軸６９の先端突出部を保持することで、該第４支持軸６９から第２可動体５４が外れることを防止し得るよう構成されている。
【００７３】
(装飾ユニット１７５)
実施例の可動演出装置５０は、図３〜図５および図８に示すように、第１可動体５３の少なくとも一部と前後に重なるように該第１可動体５３の前側に配設され、第１可動体５３と関連する意匠が形成された装飾ユニット(装飾体)１７５を備えている。この装飾ユニット１７５は、遊技盤２０に配設された入賞装置(実施例では第１始動入賞装置３０)の前述した第１球通出路３０ｂおよび第２球通出路３０ｃに入口部が整合すると共に設置部材４０に設けられた球排出部４４(図８参照)に出口部が整合する球案内路１９５,１９６を備えており、第１始動入賞装置３０から通出されたパチンコ球を、該球案内路１９５,１９６を介して遊技盤２０の外部へ排出し得るように構成されている。また、装飾ユニット１７５は、球案内路１９５,１９６を通過するパチンコ球を検出可能な始動検出センサ(球検出手段)Ｓ１,Ｓ２が配設されている。
【００７４】
装飾ユニット１７５は、図５および図２０に示すように、ベース体５１に取り付けられるユニット本体１７６と、ユニット本体１７６の前側に組み付けられる装飾部材１７７とを備えると共に、ユニット本体１７６および装飾部材１７７を組み付けることで形成された内部空間に、装飾照明基板(照明手段)１７８および装飾レンズ部材１７９が配設されている。そして、前述した球案内路１９５,１９６は、前後に並んで配設された装飾ユニット１７５、装飾レンズ部材１７９およびユニット本体１７６に亘って画成されている(図８参照)。
【００７５】
(装飾ユニット配設部７２)
図１５に示すように、ベース体５１には、装飾ユニット１７５を取り付ける装飾ユニット配設部７２が設けられている。装飾ユニット配設部７２は、第１ベース部材６０の前面下部における移動体配設部６３の下方に、前方へ突出して設けられている。装飾ユニット配設部７２には、複数(実施例では２つ)の取付ボス７３,７３が前方へ突出して設けられており、装飾ユニット１７５が各取付ボス７３,７３にネジ固定される。そして、装飾ユニット１７５は、図８に示すように、第１ベース部材６０の前面とユニット本体１７６の後面との間に、移動体５２および各第１可動体５３,５３の下部が収容可能な空間を画成した状態で該装飾ユニット配設部７２に取り付けられるようになっている。
【００７６】
(排出領域７４)
ここで、装飾ユニット１７５は、図８に示すように、第１ベース部材６０の前面とユニット本体１７６の後面との間にパチンコ球の直径以上の間隔おいて装飾ユニット配設部７２に取り付けられるように構成されており、第１ベース部材６０と装飾ユニット１７５との間には、パチンコ球の排出が可能な排出領域７４が画成されている。すなわち、遊技盤２０の枠状装飾体２６に設けられたステージ部２７に通入したパチンコ球が、演出窓口２６ａの後方へ飛翔して該遊技盤２０と設置部材４０との間へ落下して、ベース体５１と装飾ユニット１７５との間に入り込んだ場合に、当該パチンコ球が引っ掛かることなく排出領域７４を介して可動演出装置５０の外側へ排出されるよう構成されている。
【００７７】
(ユニット本体１７６)
ユニット本体１７６は、図２０に示すように、装飾ユニット１７５の外形形状に合わせた外縁形状に形成された基板保持部１８０を備えると共に、基板保持部１８０に下方には、第１および第２の球案内路１９５,１９６を画成する第１通路形成部１８１および第２通路形成部１８２を備えている。基板保持部１８０には、装飾照明基板１７８に配設されたコネクタ１７８ｂを後側へ露出させる開口１８０ａが形成されると共に、該基板保持部１８０の後面に、該コネクタ１７８ｂに接続される第３配線Ｗ３を掛止して保持可能な配線保持片１８０ｂが設けられている。また、第１および第２の通路形成部１８１,１８２の下方に、第１始動検出センサＳ１を収容保持する第１センサ保持部１８３と、第２始動検出センサＳ２を収容保持する第２センサ保持部１８４とが、第１および第２通路形成部１８１,１８２に連通して形成されていると共に、第１センサ保持部１８３および第２センサ保持部１８４の底部には、パチンコ球を通出する第１球出口１８５および第２球出口１８６が形成されている。第１センサ保持部１８３および第２センサ保持部１８４における上壁の上面１８３ａ,１８４ａは、僅かに凸状に湾曲している。ここで、第１通路形成部１８１および第２通路形成部１８２は離間して設けられており、左右に離間する両通路形成部１８１,１８２の間に第３配線Ｗ３を通して収容することが可能となっている。また、第１センサ保持部１８３および第２センサ保持部１８４は離間して設けられ、左右に離間する両保持部１８３,１８４の間に上下および後方に開口する配線挿通部１９７が画成されており、前述した第３配線Ｗ３を通して収容することが可能となっている。すなわち、コネクタ１７８ｂに接続されると共に配線保持部１８０ｂに掛止された第３配線Ｗ３は、第１経路形成部１８１および第２経路形成部１８２の間の隙間に通すと共に配線挿通部１９７に通して装飾ユニット１７６の下方へ引き出されるようになっている。更に、第１センサ保持部１８３の左側部および第２センサ保持部１８４の右側部には、夫々左右に延出した取付部１８７,１８７が設けられている。ユニット本体１７６は、基板保持部１８０、第１および第２の通路形成部１８１,１８２、第１および第２センサ保持部１８３,１８４、取付部１８７,１８７が一体に形成された成形部材である。
【００７８】
図８、図９および図２０(ｂ)に示すように、第１球案内路１９５を画成する第１通路形成部１８１は、後方にいくにつれて、下方へ変位して凸状に湾曲すると共に左方(図２０(ｂ)では右方)へ湾曲している。すなわち、第１球案内路１９５は、左の第１通路形成部１８１により画成される部分において、下方へ湾曲した部分、左方へ湾曲した部分、および下方へ湾曲した部分が連続して延在するように形成されており、該第１球案内路１９５を通過するパチンコ球の通過方向を順次変更することで、当該パチンコ球を減勢、減速させて第１始動検出センサＳ１へ案内するよう構成されている。一方、第２球案内路１９６を画成する第２通路形成部１８２は、後方にいくにつれて、下方へ変位して凸状に湾曲すると共に右方(図２０(ｂ)では左方)へ湾曲している。すなわち、第２球案内路１９６は、第２通路形成部１８２により画成される部分において、下方へ湾曲した部分、右方へ湾曲した部分、および下方へ湾曲した部分が連続して延在するように形成されており、該第２球案内路１９６を通過するパチンコ球の通過方向を順次変更することで、当該パチンコ球を減勢、減速させて第２始動検出センサＳ２へ案内するよう構成されている。
【００７９】
(装飾部材１７７)
装飾部材１７７は、図２０に示すように、前壁部１８８と、該前壁部１８８の外縁に沿って延在すると共に後方へ延出する周壁部１８９とを備えており、左上部が左上方へ鋭角的に突出すると共におよび右上部が右上方へ鋭角的に突出した形状に形成されている。そして、前壁部１８８の左部分は、第１動作姿勢に姿勢変位した左の第１可動体５３における第１可動装飾部材１２１の前壁部１３０と連なったように視認される形状に形成されていると共に、該前壁部１８８の右部分は、第１動作姿勢に姿勢変位した右の第１可動体５３における第１可動装飾部材１２１の前壁部１３０と連なったように視認される形状に形成されている(図４(ｂ)参照)。そして、前壁部１８８の前面には、第１動作姿勢に姿勢変位した各第１可動体５３,５３における第１可動装飾部材１２１の前壁部１３０に形成された意匠に関連する意匠、模様が施されている。すなわち、装飾部材１７７は、夫々第１動作姿勢に姿勢変位した第１可動体５３,５３が連なったように視認される意匠、デザインが施されている。ここで、装飾部材１７７の前壁部１８８は、透明または半透明に形成された透光部１８８ａと、メッキ、印刷または塗装が施された非透光部１８８ｂとを備えており、装飾照明基板１７８からの光が照射されると透光部１８８ａが明輝するようになっている。そして、前壁部１８８には、装飾レンズ部材１７９に設けられた後述の第１球樋部１９３が挿通する第１挿通孔１９０と、該装飾レンズ部材１７９に設けられた後述の第２球樋部１９４が挿通する第２挿通孔１９１とが開口形成されている。
【００８０】
(装飾照明基板１７８)
装飾照明基板１７８は、図８および図２０に示すように、ユニット本体１７６の基板保持部１８０に収容可能な外形形状、サイズに形成され、複数のＬＥＤ１７８ａが実装されたＬＥＤ実装面を前側に向けた状態で基板保持部１８０に固定される。これにより、ＬＥＤ１７８ａからの光が装飾レンズ部材１７９を透過することで、装飾部材１７７の前壁部１８８における透光部１８８ａを明輝するようになっている。
【００８１】
(装飾レンズ部材１７９)
装飾レンズ部材１７９は、図８および図２０に示すように、装飾照明基板１７８の前側に位置するレンズ部１７９ａと、第１センサ保持部１８３および第２センサ保持部１８４の前側に位置するセンサ保持板部１９２とを備えている。また、装飾レンズ部材１７９には、第１球案内路１９５を画成する第１球樋部１９３が、前方に延出すると共に前後に貫通するように設けられると共に、第２球案内路１９６を画成する第２球樋部１９４が、前方に延出すると共に前後に貫通するように設けられている。図８に示すように、第１球樋部１９３は、装飾部材１７７に設けた第１挿通孔１９０に挿通され、前端が第１始動入賞装置３０の第１球通出路３０ｂの後端に整合すると共に、後端がユニット本体１７６に設けた第１通路形成部１８１の前端に整合するようになっている。また、第２球樋部１９４は、装飾部材１７７に設けた第２挿通孔１９１に挿通され、前端が第１始動入賞装置３０の第２球通出路３０ｃの後端に整合すると共に、後端がユニット本体１７６に設けた第２通路形成部１８２の前端に整合するようになっている。
【００８２】
(第１始動検出センサＳ１および第２始動検出センサＳ２)
第１始動検出センサＳ１および第２始動検出センサＳ２は、パチンコ球が通過する検出口を備えると共に主制御基板と電気的に接続されており、検出口を通過したパチンコ球を検出することによる検出信号を該主制御基板へ送信するようになっている。そして、第１始動検出センサＳ１および第２始動検出センサＳ２がパチンコ球を検出して主制御基板に検出信号が入力されることを、図柄表示装置４５の表示部４５ａでの図柄変動演出の開始条件および賞球の払出条件として設定されている。
【００８３】
(第１球案内路１９５および第２球案内路１９６)
図８および図２０に示すように、装飾ユニット１７５に形成された第１球案内路１９５は、装飾レンズ部材１７９に設けられた第１球樋部１９３、ユニット本体１７６に設けられた第１通路形成部１８１および第１球出口１８５が順次連なって形成される。第１球案内路１９５は、第１球樋部１９３が前後に延在し、左の第１通路形成部１８１において下方へ湾曲し、第１始動検出センサＳ１の検知部から第１球出口１８５に亘って下方へ延在している。しかも、左の第１通路形成部１８１においては、下方へ湾曲する部分と、左方へ湾曲する部分と、下方へ湾曲する部分とが連なっている。従って、第１始動入賞装置３０の第１球通出路３０ｂから通出されたパチンコ球を、左の第１通路形成部１８１により形成された各湾曲部で減速、減勢させたもとで第１始動検出センサＳ１へ通過させることが可能となり、当該パチンコ球を該第１始動検出センサＳ１で確実に検出させることが可能となっている。同様に、装飾ユニット１７５に形成された第２球案内路１９６は、装飾レンズ部材１７９に設けられた第２球樋部１９４、ユニット本体１７６に設けられた第２通路形成部１８２および第２球出口１８６が順次連なって形成される。第２球案内路１９６は、第２球樋部１９４が前後に延在し、第２通路形成部１８２において下方へ湾曲し、第１始動検出センサＳ１の検知部から第２球出口１８６に亘って下方へ延在している。しかも、第２通路形成部１８２においては、下方へ湾曲する部分と、右方へ湾曲する部分と、下方へ湾曲する部分とが連なっている。従って、第１始動入賞装置３０の第２球通出路３０ｃから通出されたパチンコ球を、第２通路形成部１８２により形成された各湾曲部で減速、減勢させたもとで第２始動検出センサＳ２へ通過させることが可能となり、当該パチンコ球を第２始動検出センサＳ２で確実に検出させることが可能となっている。
【００８４】
また、図８、図９および図２０に示すように、第１ベース部材６０と装飾ユニット１７５の間に画成された排出領域７４の底部に、ユニット本体１７６に形成されて上面が凸状に湾曲した第１通路形成部１８１および第２通路形成部１８２が位置している。ここで、第１および第２通路形成部１８１,１８２は、前述したように、後方および左右に向けて下方に傾斜しているから、この通路形成部１８１,１８２の上面に落下したパチンコ球は、該通路形成部１８１,１８２上に留まることなく円滑に排出されるようになる。従って、排出領域７４にパチンコ球が留まり、移動体５２および各第１可動体５３,５３が当該パチンコ球と干渉することが防止されるよう構成されている。また、第１および第２通路形成部１８１,１８２の間の隙間に前述した第３配線Ｗ３を配設することで、両通路形成部１８１,１８２の間にパチンコ球が引っ掛かることが防止されるよう構成されている。
【００８５】
実施例の可動演出装置５０は、遊技盤２０の後側に設置部材４０を取り付けた状態において、第１始動入賞装置３０が遊技盤２０の後面から殆ど突出していないことで、装飾ユニット１７５の前面が該遊技盤２０の後面に近接した位置となる。また、装飾ユニット１７５の直ぐ後側に左右の第１可動体５３および第２可動体５４が位置していることで、遊技盤２０の直後に装飾ユニット１７５および左右の第１可動体５３,５３および左右の第２可動体５４,５４が位置するようになっている。
【００８６】
〔実施例の作用〕
次に、前述のように構成された実施例に係るパチンコ機１０の作用につき説明する。
【００８７】
(初期状態について)
前述のように構成された実施例のパチンコ機１０では、例えば演出制御装置の演出制御基板による可動体演出の実行可否判定の結果により、可動演出装置５０を作動しないことが決定された場合は、可動演出装置５０は、図２および図１１に示す初期状態に保持される。可動演出装置５０が初期状態では、作動機構５８の第１作動モータ７５および回転演出体１１１の第２作動モータ１１４が停止していることで、移動体５２が待機位置に停止保持される。そして、移動体５２が待機位置に停止していることで、該移動体５２に配設された回転演出体１１１は、枠状装飾体２６に設けられた透明保護部材２８の後側に位置しており、図柄表示装置４５の表示部４５ａの前側には殆ど突出せず、該表示部４５ａでの演出表示の妨げにならない。
【００８８】
また、図１１に示すように、移動体５２が待機位置に停止していることで、左右の第１可動体５３,５３における可動ガイドローラ１２７,１２７は、移動ガイドレール１００における上下延在部１０１の上端に位置することで、長手が上下方向に向いた第１初期姿勢に夫々保持されている。また、各第１可動体５３,５３が第１初期姿勢に保持されていることで、第１ギア１２９および第２ギア１４７の噛み合いにより、左右の第２可動体５４,５４は長手が左右方向に向いた第２初期姿勢に夫々保持されている。図２に示すように、第１初期姿勢の第１可動体５３および第２初期姿勢の第２可動体５４は、互いに離れた位置に停止しており、一体の意匠を形成しない。そして、第１初期姿勢における左右の第１可動体５３,５３は、図２に示すように、遊技盤２０の前面から視認されるが、図柄表示装置４５の表示部４５ａの前側には殆ど突出せず、該表示部４５ａでの演出表示の妨げにならない。一方、第２初期姿勢における左右の第２可動体５４,５４は、図２に示すように、該第２可動体５４,５４の前側に配設された装飾部材２００により殆ど隠されて前面から視認されず、かつ図柄表示装置４５の表示部４５ａの前側にも殆ど突出せず、該表示部４５ａでの演出表示の妨げにならない。
【００８９】
また、第１可動体５３が第１初期姿勢となっていることで、第１ギア１２９に設けられた連係掛止片１５７が第１掛止位置で停止しており(図１０、図１１参照)、該連係掛止片１５７およびベース掛止片１５８に架設された各コイルバネ５７,５７は、最大伸張長さに変形した状態で保持されている。
【００９０】
(可動体による演出について)
演出制御装置の演出制御基板が、可動体演出の実行可否判定の結果により、可動演出装置５０を作動させることを決定した場合には、該演出制御基板は所定の制御態様に基づいて可動演出装置５０を動作させる。すなわち、演出制御基板が、第１作動モータ７５を作動制御することで作動レバー７６が下位置から上位置に向けて動作を開始し、これに伴って移動体５２が待機位置から動作位置に向けて上昇移動を開始する。左右の第１可動体５３,５３における可動ガイドローラ１２７は、移動ガイドレール１００における上下延在部１０１を相対的に下方へ移動するが、該可動ガイドローラ１２７が該上下延在部１０１と傾斜延出部１０２との境界部に到達するまで(図４(ａ)および図１２参照)は、長手が上下方向に向いた第１初期姿勢に夫々保持されている。また、各第１可動体５３が第１初期姿勢に保持されていることで、第１ギア１２９および第２ギア１４７の噛み合いにより、左右の第２可動体５４,５４は、長手が左右方向に向いた第２初期姿勢に夫々保持されている。
【００９１】
そして、移動体５２が図４(ａ)および図１２の状態から更に動作位置に向けて上昇移動を続けることで、可動ガイドローラ１２７が移動ガイドレール１００の傾斜延在部１０２に沿って下方へ相対的に移動するようになり、第１可動体５３を支持する第３支持軸６８に対する可動ガイドローラ１２７の位置が徐々に移動体５２の中央側へ変位することで、該第１可動体５３が第１初期姿勢から第１動作姿勢に向けて回転変位するようになる。また、第３支持軸６８を中心とした第１可動体５３の回転変位に伴って、第２連係手段における第１ギア１２９が回転することで、該第１ギア１２９に噛み合った第２ギア１４７が第４支持軸６９を中心として従動回転するようになり、第２可動体５４が第２初期姿勢から第２動作姿勢に向けて回転変位するようになる。そして、移動体５２が動作位置まで上昇すると、第１可動体５３が第１動作姿勢となると共に、これに連動して第２可動体５４が第２動作姿勢となる(図４(ｂ)、図１３参照)。ここで、第２動作姿勢となった各第２可動体５４,５４は、装飾部材２００,２００の上縁や側縁から突出して前側から視認可能となる。
【００９２】
ここで、図４(ｂ)および図５に示すように、第１動作姿勢に姿勢変位した左の第１可動体５３は、上方にいくにつれて移動体５２から離間する左上がりに傾斜した姿勢となる。また、第２動作姿勢に姿勢変位した左の第２可動体５４は、下方にいくにつれて移動体５２に近づくよう右下がりに傾斜した姿勢となり、第１動作姿勢の第１可動体５３の上部に連なるようになる。すなわち、第１動作姿勢の左の第１可動体５３および第２動作姿勢の左の第２可動体５４は、上方にいくにつれて移動体５２から離間する左上がりに傾斜した直線状に揃うようになる。一方、第１動作姿勢に姿勢変位した第１可動体５３は、上方にいくにつれて移動体５２から離間する右上がりに傾斜した姿勢となる。また、第２動作姿勢に姿勢変位した第２可動体５４は、下方にいくにつれて移動体５２に近づくよう左下がりに傾斜した姿勢となり、第１動作姿勢の第１可動体５３の上部に連なるようになる。すなわち、第１動作姿勢の右の第１可動体５３および第２動作姿勢の右の第２可動体５４は、上方にいくにつれて移動体５２から離間する右上がりに傾斜した直線状に揃うようになる。
【００９３】
更に、図４(ｂ)および図５に示すように、第１動作姿勢となった左の第１可動体５３の下部は装飾ユニット１７５の後方の排出領域７４へ移動して該装飾ユニット１７５と前後に重なっていると共に、第１動作姿勢となった右の第１可動体５３の下部は装飾ユニット１７５の後方の排出領域７４に移動して該装飾ユニット１７５と前後に重なっている。
【００９４】
従って、図４(ｂ)および図５に示すように、左右の第１可動体５３,５３が夫々第１動作姿勢となると共に左右の第２可動体５４,５４が夫々第２動作姿勢となった場合には、該第１可動体５３,５３、該第２可動体５４,５４および装飾部材により１つの大きな意匠形状、すなわち前側から見て略「Ｖ」字形の意匠形状を形成するようになり、該「Ｖ」字形の意匠形状が遊技盤２０を介して視認可能となり、迫力がある演出を行うことができる。しかも、第２動作姿勢の各第２可動体５４,５４は、図柄表示装置４５の表示部４５ａの前方へ突出した状態となると共に、移動体５２の装飾ユニット１７５が前方へ露出すると共に回転演出体１１１が図柄表示装置４５の表示部４５ａの前方まで上昇することで、更に迫力がある演出が行われるようになる。
【００９５】
そして、図１０〜図１３に示すように、実施例の可動演出装置５０では、第２連係手段である第１可動体５３の第１ギア１２９とベース体５１との間に架設したコイルバネ５７により、第１可動体５３の第１動作姿勢への姿勢変位および第２可動体５４の第２動作姿勢への姿勢変位が補助される。従って、移動体５２の上昇移動時においては、第１可動体５３が第１動作姿勢に向けて円滑に姿勢変位すると共に、該第１可動体５３の姿勢変位に基づいて第２可動体５４が第２動作姿勢に向けて円滑に姿勢変位するようになる。そして、第１可動体５３および第２可動体５４が夫々の動作姿勢に変位してもコイルバネ５７により付勢されているので、第１動作姿勢に姿勢変位した第１可動体５３および第２動作姿勢に姿勢変位した第２可動体５４は、コイルバネ５７の付勢により夫々の動作姿勢にがたつきなく保持されるようになる。
【００９６】
(回転演出体による演出について)
また、演出制御基板は、適時のタイミングで第２作動モータ１１４を作動制御することで回転演出体１１１を回転させる。ここで、第２作動モータ１１４の作動タイミングは、第１作動モータ７５の作動タイミングと同時としたり、移動体５２の上昇移動途中に作動開始したり、移動体５２が動作位置まで上昇した後に作動開始する等、様々に制御することが可能である。
【００９７】
更に、演出制御基板は、移動体５２に配設した移動照明基板１０５、回転演出ユニット１１０に配設した回転照明基板１１７、各第１可動体５３,５３に配設した第１可動照明基板１２２、各第２可動体５４,５４に配設した第２可動照明基板１４２、装飾ユニット１７５に配設した装飾照明基板１７８の夫々を、所定のタイミングで作動させることで、可動演出装置５０の前面が全体的に明輝するようになり、照明演出によっても迫力のある演出を行うことができる。
【００９８】
実施例の可動演出装置５０を備えたパチンコ機１０によれば、第１可動体５３および第２可動体５４を連係する第２連係手段をなす第１ギア１２９および第２ギア１４７において、該第１ギア１２９を付勢手段としてのコイルバネ５７で付勢するようにしたので、第１作動モータ７５による移動体５２の上昇移動に伴って第１可動体５３を第１動作姿勢へ姿勢変位させる構成であっても、該第１可動体５３の第１動作姿勢への姿勢変位および第２可動体５４の第２動作姿勢への姿勢変位を適切に同期させることができる。すなわち、第２連係手段における一方の第１ギア１２９に対して付勢手段であるコイルバネ５７が結されることで、該コイルバネ５７が連結された第１ギア１２９が設けられた第１可動体５３を第１動作姿勢に向けて付勢し得るので、第１可動体５３の第１初期姿勢から第１動作姿勢への姿勢変位が円滑かつ適切になされる。また、コイルバネ５７が連結されていない第２ギア１４７は、コイルバネ５７が連係された第１ギア１２９と噛み合っていることで、第１ギア１２９に対するコイルバネ５７の付勢力が第２ギア１４７にも付与されるようになり、該第２ギア１４７が設けられた第２可動体５４も動作姿勢に向けて付勢し得るので、第２可動体５４の第２初期姿勢から第２動作姿勢への姿勢変位も円滑かつ適切になされる。
【００９９】
そして、第１ギア１２９に一方の端部１５５が掛止されたコイルバネ５７は、他方の端部１５６が第１ベース部材６０に形成されたベース掛止片１５８に掛止されるので、該コイルバネ５７の他方の端部１５６側が第１ベース部材６０に安定的に支持されて、第１可動体５３の姿勢変位に連動して移動する第１ギア１２９を安定的に付勢することができる。
【０１００】
また、コイルバネ５７の一方の端部１５６は、第１可動体５３の第１可動ベース１２０および第１可動装飾部材１２１に直接に掛止されていないので、該第１可動ベース１２０および大１可動装飾部材１２１がコイルバネ５７の付勢力により変形することを防止できる。また、コイルバネ５７は、第１ギア１２９および第２ギア１４７よりも後側に配設されているので、第１初期姿勢および第１動作姿勢の間を姿勢変位する第１可動体５３や第２初期姿勢および第２動作姿勢の間を姿勢変位する第２可動体５４と接触することが防止され、該コイルバネ５７の付勢不良や、第１可動体５３および第２可動体５４の動作不良の発生を防止し得る。
【０１０１】
そして、各第１可動体５３,５３が夫々の第１動作姿勢となると共に各第２可動体５４,５４が夫々の第２動作姿勢となった際に、互いに連なった左の第１可動体５３および左の第２可動体５４と、互いに連なった右の第１可動体５３および右の第２可動体５４とが、上方に向かうにつれて互いに離間するよう傾斜するようになり、かつ互いに近接した左右の第１可動体５３,５３の下部が装飾ユニット１７５と重なって該装飾ユニット１７５の装飾部材１７７により連なって見えるようになるので、図４(ｂ)および図５に示すように、前方から見て「Ｖ字形」をなす一体的な意匠が形成されるようになって。可動演出装置５０によって演出効果を高めることができる。
【０１０２】
そして、移動体５２が待機位置および動作位置の間を移動する際に、第１可動体５３に設けられた可動ガイドローラ１２７が、移動体５２に設けられた移動ガイドレール１００に係合しながら該移動ガイドレール１００の上下延在部１０１および傾斜延在部１０２に沿って案内されることで、第１初期姿勢および第１動作姿勢の間において第１可動体５３の姿勢を適切に規定し得ると共に、該第１可動体５３が円滑かつ適切に姿勢変位するようになる。従って、第１可動体５３の姿勢変位が適切になされることで、第１ギア１２９および第２ギア１４７により連係された第２可動体５４も、第２初期姿勢および第２動作姿勢の間で適切に姿勢変位するようになる。
【０１０３】
そして、実施例の可動演出装置５０では、移動体５２の前側に配設された回転演出ユニット１１０の回転演出体１１１が、該移動体５２の昇降移動に連動して昇降移動すると共に、第２作動モータ１１４の作動により回転するようになっているので、第１可動体５３および第２可動体５４の姿勢変位に連動して回転演出体１１１が昇降移動および回転することで、演出効果の更なる向上を図ることができる。
【０１０４】
また、第１可動体５３においては、第１可動照明基板１２２に接続された第１配線Ｗ１が第１配線保持部１３２に保持されているので、当該第１可動体５３が姿勢変位する際に該第１配線Ｗ１が軸支持部１２５に絡まったり第１ギア１２９および第２ギア１４７に引っ掛かることがなく、該第１配線Ｗ１の損傷や断線を防止し得る。同様に、第２可動体５４においては、第２可動照明基板１４２に接続された第２配線Ｗ２が第２配線保持部１５０に保持されているので、当該第２可動体５４が姿勢変位する際に該第２配線Ｗ２が軸支持部１４５に絡まったり第１ギア１２９および第２ギア１４７に引っ掛かることがなく、該第２配線Ｗ２の損傷や断線を防止し得る。
【０１０５】
(入賞球の通出案内について)
実施例の可動演出装置５０では、図２および図８に示すように、遊技盤２０の後側に設置部材４０を取り付けることで、該遊技盤２０の配設した第１始動入賞装置３０の後側に装飾ユニット１７５が対向して、該第１始動入賞装置３０の第１通出路３０ｂの出口部に該装飾ユニット１７５に設けられた第１球案内路１９５の入口部が整合して、第１通出路３０ｂと第１球案内路１９５とが連通する一方、該第１始動入賞装置３０の第２通出路３０ｃの出口部に該装飾ユニット１７５に設けられた第２球案内路１９６の入口部が整合して、第２通出路３０ｃと第２球案内路１９６とが連通している。これにより、始動入賞口３０ａに入賞して球振分け手段３１により第１通出路３０ｂへ通出されたパチンコ球は第１球案内路１９５へ案内されて、第１始動検出センサＳ１で検出された後に球排出部４４へ排出される。一方、始動入賞口３０ａに入賞して球振分け手段３１により第２通出路３０ｃへ通出されたパチンコ球は第２球案内路１９６へ案内されて、第２始動検出センサＳ２で検出された後に球排出部４４へ排出される。従って、該第１始動入賞装置３０から通出されたパチンコ球を排出する球排出路部材を第１始動入賞装置３０の後側に別途配設する必要がなくなるので、可動演出装置５０を第１始動入賞装置３０の後側に臨ませることができ、当該可動演出装置５０の意匠形状や設置位置の自由度が高められる。また、第１球案内路１９５を通過するパチンコ球が第１球検出センサＳ１で適切に検出することができると共に、第２球案内路１９６を通過するパチンコ球が第２球検出センサＳ２で適切に検出することができる。
【０１０６】
そして、第１球案内路１９５が第１通路形成部１８１において湾曲しているので、該第１球案内路１９５を通過するパチンコ球の通過速度を抑えることができ、第１球検出センサＳ１による該パチンコ球の検出が適切になされると共に、第２球案内路１９６が第２通路形成部１８２において湾曲しているので、該第２球案内路１９６を通過するパチンコ球の通過速度を抑えることができ、第２球検出センサＳ１による該パチンコ球の検出が適切になされる。
【０１０７】
(パチンコ球の排出について)
更に、装飾ユニット１７５とベース体５１との間にパチンコ球の直径以上の幅の排出領域７４が形成されているので、遊技盤２０の遊技領域２１から該排出領域７４へ落下したパチンコ球が装飾ユニット１７５とベース体５１との間に留まることがなく、パチンコ球との接触による第１可動体５３および移動体５２の破損や、作動機構５８の破損や、第１作動モータ７５の故障等を防止し得る。しかも、排出領域７４の底部に位置する第１通路形成部１８１および第２通路形成部１８２の上面が凸状に湾曲に形成されているので、該排出領域７４へ落下したパチンコ球を迅速かつ円滑に排出することができる。更に、図２０(ｂ)に示すように、装飾照明基板１７８のコネクタ１７８ｂに接続されると共に配線保持片１８０ｂに掛止した第３配線Ｗ３が、第１通路形成部１８１および第２通路形成部１８２の間の隙間に通すと共に第１および第２センサ保持部１８３,１８４の間の配線挿通部１９７に通して下方へ引き出すよう構成されているので、第１通路形成部１８１および第２通路形成部１８２の間に落下したパチンコ球が両通路形成部１８１,１８２の間に入り込んで引っ掛かることを当該第３配線Ｗ３により防止し得る。
【０１０８】
〔変更例〕
本発明に係る遊技機は、実施例に例示の形態に限らず種々の変更が可能である。
（１）付勢手段は、第２可動体に設けられた第２連係手段としての第２ギアを直接に付勢するよう構成してもよい。この場合においても、第２ギアを付勢手段で付勢することで、該第２ギアが設けられた第２可動体を第２初期姿勢から第２動作姿勢に向けて付勢し得ると共に、第２ギアが付勢されることで該第２ギアに噛み合う第１ギアも付勢されるので、該第１ギアが設けられた第１可動体を第１初期姿勢から第１動作姿勢に向けて付勢し得る。
（２）付勢手段は、第２連係手段を付勢し得るものであればコイルバネに限定されず、捻りバネ等の他タイプのバネや、ゴムやウレタン等の弾性体であってもよい。
（３）付勢手段により付勢される第２連係手段は、一方を付勢することで他方も付勢されるものであれば、ギアに限されない。
（４）実施例では、対をなす第１可動体および対をなす第２可動体の２つの可動体が夫々連なると共にように構成したが、対をなす可動体は３つ以上であってもよい。
（５）実施例では、２つの球案内路を設けた装飾ユニットを例示したが、球案内路の形成数は、１つまたは３つ以上設けることも可能である。
（６）実施例では、始動入賞装置から通出されたパチンコ球を案内する球案内路が設けられた装飾ユニットを例示したが、装飾ユニットは、特別入賞装置や普通入賞部材から通出されたパチンコ球を案内するものであってもよい。
（７）実施例では、演出制御基板により可動演出装置を作動制御するようにしたが、主制御基板により可動演出装置を作動制御するようにしてもよい。
（８）実施例では、遊技機としてのパチンコ機を示したが、遊技機はパチンコ機に限られるものではなく、アレンジボール機やスロットマシン等であってもよい。
【０１０９】
本願には、次のような技術的思想が含まれている。
(付記１)
請求項１〜４の何れか一項の遊技機において、
前記可動演出装置(50)は、
横並びに配設され、作動手段(75)の作動に伴って、上下方向が長手となる第１初期姿勢および上方に向かって互いに離間するよう傾斜した第１動作姿勢の間を姿勢変位可能な一対の第１可動体(53,53)と、
前記第１可動体(53,53)の夫々の上方において横方向に離間して配設され、該第１可動体(53)から離間した第２初期姿勢、および第１動作姿勢となった第１可動体(53)の上部に対して該第１可動体(53)の長手方向に連なる第２動作姿勢の間を姿勢変位可能な一対の第２可動体(54,54)と、
前記第１可動体(53)および第２可動体(54)を連係し、第１可動体(53)の第１初期姿勢および第１動作姿勢の間の姿勢変位に伴って、第２可動体(54)の第２初期姿勢および第２動作姿勢の間の姿勢変位を生起する連係手段(129,147)と、
前記連係手段(129,147)に連結され、該第２連係手段(129,147)を介して前記第１可動体(53)を第１動作姿勢に向け付勢すると共に前記第２可動体(54)を第２動作姿勢に向け付勢する付勢手段(57)とを備え、
前記作動手段(75)の作動下に前記第１可動体(53,53)を前記第１初期姿勢から第１動作姿勢へ移動する際に、第１動作姿勢への前記第１可動体(53)の姿勢変位および第２動作姿勢への前記第２可動体(54)の姿勢変位を前記付勢手段(57)で補助するよう構成されると共に、
互いに連なった一方の第１可動体(53)および第２可動体(54)と、互いに連なった他方の第１可動体(53)および第２可動体(54)とが、上方に向かうにつれて互いに離間するよう傾斜し、
一方の第１可動体(53)および他方の第１可動体(53)における互いに近接した下方部分と前記装飾体(175)が前後に重なり、該装飾体(175)、第１可動体(53)および前記第２可動体(54)により単一の意匠を形成するよう構成される。
付記１に係る発明によれば、作動手段の作動下に第１可動体を第１初期姿勢から第１動作姿勢へ姿勢変位させる際に、該第１可動体の第１動作姿勢への姿勢変位が付勢手段で補助されると共に、第２可動体の第２動作姿勢への姿勢変位が該付勢手段で補助され、付勢手段により第１可動体および第２可動体の両方の姿勢変位を補助し得るので、第１可動体および第２可動体の姿勢変位が円滑かつ適切になされる。そして、作動手段が停止しても、第１可動体および各第２可動体を、付勢手段により第１動作姿勢および第２動作姿勢に保持することができる。また、各第１可動体が第１動作姿勢となると共に各第２可動体が第２動作姿勢となった際に、互いに連なった一方の第１可動体および第２可動体と、互いに連なった他方の第１可動体および第２可動体とが、上方に向かうにつれて互いに離間するよう傾斜するようになり、かつ一方の第１可動体および他方の第１可動体の互いに近接した下方部分に装飾体が重なるので、前方から見てＶ字形をなす単一の意匠を形成することができる。
【符号の説明】
【０１１０】
２０ 遊技盤
３０ 第１始動入賞装置(入賞装置)
３０ｂ 第１球通出路(球通出部)
３０ｃ 第２球通出路(球通出部)
４０ 設置部材
４４ 球排出部
５０ 可動演出装置
５２ 移動体
５３ 第１可動体
５４ 第２可動体
５７ コイルバネ(付勢手段)
７４ 排出領域
７５ 第１作動モータ(作動手段)
１００ 移動ガイドレール(第１連係手段)
１２７ 可動ガイドローラ(第１連係手段)
１２９ 第１ギア(第２連係手段)
１４７ 第２ギア(第２連係手段)
１７５ 装飾ユニット(装飾体)
１９５ 第１球案内路(球案内路)
１９６ 第２球案内路(球案内路)
Ｓ１ 第１始動検出センサ(球検出手段)
Ｓ２ 第２始動検出センサ(球検出手段)
【図１】
0006314079.tif 000002
【図２】
0006314079.tif 000003
【図３】
0006314079.tif 000004
【図４】
0006314079.tif 000005
【図５】
0006314079.tif 000006
【図６】
0006314079.tif 000007
【図７】
0006314079.tif 000008
【図８】
0006314079.tif 000009
【図９】
0006314079.tif 000010
【図１０】
0006314079.tif 000011
【図１１】
0006314079.tif 000012
【図１２】
0006314079.tif 000013
【図１３】
0006314079.tif 000014
【図１４】
0006314079.tif 000015
【図１５】
0006314079.tif 000016
【図１６】
0006314079.tif 000017
【図１７】
0006314079.tif 000018
【図１８】
0006314079.tif 000019
【図１９】
0006314079.tif 000020
【図２０】
0006314079.tif 000021
【図２１】
0006314079.tif 000022